(57)【特許請求の範囲】
【請求項１】
無線送信／受信ユニット（ＷＴＲＵ）をページングする方法であって、
前記方法は、
ページング要求メッセージを受信するステップであって、前記ページング要求メッセージは、前記ＷＴＲＵが拡張ページングチャネル（ＰＣＨ）機能をサポートするかどうかを示し、前記ページング要求メッセージは、拡張ＰＣＨインジケータを備え、前記拡張ＰＣＨインジケータは、前記ＷＴＲＵが前記拡張ＰＣＨ機能をサポートすることを示す、ステップと、
そのインジケーションに基づいて前記ＷＴＲＵをページングするステップと
を備えることを特徴とする方法。
【請求項２】
前記ページング要求メッセージは、サービング無線ネットワークコントローラ（ＳＲＮＣ）から受信されることを特徴とする請求項１に記載の方法。
【請求項３】
前記ページングするステップは、前記ページング要求メッセージが前記拡張ＰＣＨインジケータを備えるとき、高速ダウンリンク共用チャネル（ＨＳ−ＤＳＣＨ）を通じて前記ＷＴＲＵをページングすることを備えることを特徴とする請求項１に記載の方法。
【請求項４】
前記ページングするステップは、前記ページング要求メッセージが、前記ＷＴＲＵが前記拡張ＰＣＨ機能をサポートしないことを示すとき、セカンダリー共通制御物理チャネル（Ｓ−ＣＣＰＣＨ）を通じて前記ＷＴＲＵをページングすることを備えることを特徴とする請求項１に記載の方法。
【請求項５】
前記ページングするステップは、拡張ＰＣＨをサポートするセルについての高速ダウンリンク共用チャネル（ＨＳ−ＤＳＣＨ）を通じて前記ＷＴＲＵをページングすること、および拡張ＰＣＨをサポートしないセルについてのセカンダリー共通制御物理チャネル（Ｓ−ＣＣＰＣＨ）を通じて前記ＷＴＲＵをページングすることを備えることを特徴とする請求項１に記載の方法。
【請求項６】
前記拡張ＰＣＨをサポートするセルおよび前記拡張ＰＣＨをサポートしないセルは、ＵＴＲＡＮ登録エリア（ＵＲＡ）にあることを特徴とする請求項５に記載の方法。
【請求項７】
前記機能は、ＣＥＬＬ＿ＰＣＨ状態またはＵＲＡ＿ＰＣＨ状態の少なくとも一つにおいて高速ダウンリンク共用チャネル（ＨＳ−ＤＳＣＨ）を受信する機能を備えることを特徴とする請求項１に記載の方法。
【請求項８】
ページング要求メッセージを受信するように、ここで、前記ページング要求メッセージは、前記ＷＴＲＵが拡張ページングチャネル（ＰＣＨ）機能をサポートするかどうかを示し、前記ページング要求メッセージは、拡張ＰＣＨインジケータを備え、前記拡張ＰＣＨインジケータは、前記ＷＴＲＵが前記拡張ＰＣＨ機能をサポートすることを示し、および
そのインジケーションに基づいて前記ＷＴＲＵをページングするように
構成されるプロセッサを備えることを特徴とするネットワークデバイス。
【請求項９】
前記ページング要求メッセージは、サービング無線ネットワークコントローラ（ＳＲＮＣ）から受信されることを特徴とする請求項８に記載のネットワークデバイス。
【請求項１０】
前記ページングすることは、前記ページング要求メッセージが前記拡張ＰＣＨインジケータを備えるとき、高速ダウンリンク共用チャネル（ＨＳ−ＤＳＣＨ）を通じて前記ＷＴＲＵをページングすることを備えることを特徴とする請求項８に記載のネットワークデバイス。
【請求項１１】
前記ページングすることは、前記ページング要求メッセージが、前記ＷＴＲＵが前記拡張ＰＣＨ機能をサポートしないことを示すとき、セカンダリー共通制御物理チャネル（Ｓ−ＣＣＰＣＨ）を通じて前記ＷＴＲＵをページングすることを備えることを特徴とする請求項８に記載のネットワークデバイス。
【請求項１２】
前記ページングすることは、拡張ＰＣＨをサポートするセルについての高速ダウンリンク共用チャネル（ＨＳ−ＤＳＣＨ）を通じて前記ＷＴＲＵをページングすること、および拡張ＰＣＨをサポートしないセルについてのセカンダリー共通制御物理チャネル（Ｓ−ＣＣＰＣＨ）を通じて前記ＷＴＲＵをページングすることを備えることを特徴とする請求項８に記載のネットワークデバイス。
【請求項１３】
前記拡張ＰＣＨをサポートするセルおよび前記拡張ＰＣＨをサポートしないセルは、ＵＴＲＡＮ登録エリア（ＵＲＡ）にあることを特徴とする請求項１２に記載のネットワークデバイス。
【請求項１４】
前記機能は、ＣＥＬＬ＿ＰＣＨ状態またはＵＲＡ＿ＰＣＨ状態の少なくとも一つにおいて高速ダウンリンク共用チャネル（ＨＳ−ＤＳＣＨ）を受信する機能を備えることを特徴とする請求項８に記載のネットワークデバイス。
【発明の詳細な説明】
【技術分野】
【０００１】
本出願は無線通信に関する。
【背景技術】
【０００２】
従来の３ＧＰＰ（第３世代パートナーシッププロジェクト）規格には、４つのＲＲＣ（無線リソース制御）状態が定義されている。それらのＲＲＣ状態とは、ＣＥＬＬ＿ＤＣＨ状態、ＣＥＬＬ＿ＦＡＣＨ状態、ＣＥＬＬ＿ＰＣＨ状態、およびＵＲＡ＿ＰＣＨ状態である。エンドユーザが感じ取る全体的なＱｏＥ（経験品質）を向上させるために、３ＧＰＰ規格には従来のＣＥＬＬ＿ＦＡＣＨ状態およびＣＥＬＬ／ＵＲＡ＿ＰＣＨ状態に対する改良が加えられている。このＣＥＬＬ＿ＦＡＣＨ状態およびＣＥＬＬ／ＵＲＡ＿ＰＣＨの改良は、ＣＥＬＬ＿ＦＡＣＨ状態およびＣＥＬＬ／ＵＲＡ＿ＰＣＨ状態においてＨＳＤＰＡ（高速ダウンリンクパケット・アクセス）リソースを使用することにより、状態移行遅延および全体的な信号待ち時間（signaling latency）を低減しようと試みる。
【０００３】
拡張ＣＥＬＬ＿ＦＡＣＨ状態が導入されたため、ＣＥＬＬ＿ＦＡＣＨ状態においてＨＳ−ＤＳＣＨ（高速ダウンリンク共用チャネル）を使用することができる。このＨＳ−ＤＳＣＨは、従来のＦＡＣＨ（フォワード・アクセス・チャネル）に取って代わる。拡張ＦＡＣＨ能力を有するＷＴＲＵ（無線送受信ユニット）は、このＨＳ−ＤＳＣＨ上でダウンリンクメッセージを受信する。例えば、ダウンリンクＲＲＣメッセージ（例えば、セル更新確認メッセージ（CELL UPDATE CONFIRMメッセージ）や、ＵＲＡ更新確認メッセージ（URA UPDATE CONFIRMメッセージ））は、ＣＥＬＬ＿ＦＡＣＨ状態においてＨＳ−ＤＳＣＨ上でＷＴＲＵに送信される。
【０００４】
拡張ＣＥＬＬ／ＵＲＡ＿ＰＣＨ状態が導入されたため、このＨＳ−ＤＳＣＨはＣＥＬＬ＿ＰＣＨ状態およびＵＲＡ＿ＰＣＨ状態でも使用することができる。ＨＳ−ＤＳＣＨが従来のＦＡＣＨおよびＰＣＨに取って代わり、ＤＣＣＨ（個別制御チャネル）およびＤＴＣＨ（個別トラフィック・チャネル）はこのＨＳ−ＤＳＣＨ上で、ＣＥＬＬ＿ＰＣＨ状態にあるＷＴＲＵに伝送することができる。拡張ＰＣＨ能力を有するＷＴＲＵは、ＣＥＬＬ／ＵＲＡ＿ＰＣＨ状態にある場合、ＨＳ−ＤＳＣＨ上でページングメッセージを受信する。
【０００５】
ＷＴＲＵは、伝送するアップリンクデータまたは信号を有する場合、ＣＥＬＬ＿ＰＣＨ状態からＣＥＬＬ＿ＦＡＣＨ状態へと自立的に移行することができる。ＣＥＬＬ＿ＰＣＨ状態およびＵＲＡ＿ＰＣＨ状態では複数のＤＲＸ（不連続受信）周期を定義することができ、この周期は、ＵＴＲＡＮ（universal terrestrial radio access network）が低活動のＷＴＲＵに迅速にアクセスすることを可能にする節電メカニズムである。
【０００６】
拡張ＰＣＨをサポートするＷＴＲＵまたはネットワークは、拡張ＦＡＣＨもサポートしなければならない。ただし、ＷＴＲＵまたはネットワークは、拡張ＰＣＨをサポートせずに拡張ＦＡＣＨをサポートすることができる。したがって、ＷＴＲＵがＵＲＡ（ＵＴＲＡＮルーティングエリア）更新をトリガし、そのＷＴＲＵおよびネットワークがどちらも拡張ＦＡＣＨをサポートするが、拡張ＰＣＨはサポートしない場合、ＵＲＡ更新確認メッセージはＨＳ−ＤＳＣＨ上で受信されるが、ＷＴＲＵはページングメッセージをＰＣＨ上で受信することになる。しかし、そのＷＴＲＵが拡張ＰＣＨをサポートする場合、ＵＲＡ更新確認メッセージもページングメッセージもＨＳ−ＤＳＣＨ上で受信される。
【０００７】
ＣＥＬＬ／ＵＲＡ＿ＰＣＨ状態でのページングでは、３ＧＰＰリリース７ＷＴＲＵは、３ＧＰＰリリース６と同様に、ＰＩＣＨ（ページング表示チャネル：paging indicator channel）をモニタする。ページング表示（ＰＩ：paging indicator）が検出されると、ＷＴＲＵは、ＰＣＣＨ（ページング制御チャネル）フレームを受信するために、ＰＣＨ／Ｓ−ＣＣＰＣＨ（セカンダリー共通制御物理チャネル）ではなくＨＳ−ＤＳＣＨをモニタする。
【０００８】
セルを選択する際、リリース７ＷＴＲＵは、ＢＣＣＨ／ＢＣＨ（報知制御チャネル／報知チャネル）上でブロードキャストされる構成情報に基づいて、そのセルが拡張ＦＡＣＨをサポートするかどうかを判定する。より詳細には、ＳＩＢ（システム情報ブロック）タイプ５／５ｂｉｓは、「ＨＳ−ＤＳＣＨ共通システム情報」および「ＨＳ−ＤＳＣＨページングシステム情報」という２つのＩＥ（情報要素）を含む。これらのＩＥは、ＷＴＲＵが、ＣＥＬＬ＿ＦＡＣＨ状態、ＣＥＬＬ＿ＰＣＨ状態およびＵＲＡ＿ＰＣＨ状態においてＨＳ−ＤＳＣＨを受信するために必要な構成情報を提供する。
【０００９】
ＷＴＲＵは、ＢＣＣＨ／ＢＣＨ上で、セル内でブロードキャストされる構成情報に基づいて、ＣＥＬＬ／ＵＲＡ＿ＰＣＨ状態でのＨＳ−ＤＳＣＨ受信に対するサポートを判定する。ＨＳ−ＤＳＣＨページングシステム情報がＳＩＢ５／５ｂｉｓ内にある場合、ＷＴＲＵは、ＰＣＨ／Ｓ−ＣＣＰＣＨ上ではなくＨＳ−ＤＳＣＨ上で受信するために自らを構成する。
【００１０】
しかしＣＥＬＬ＿ＰＣＨ状態にある場合、ＤＲＮＣ（ドリフト無線ネットワークコントローラ）はＷＴＲＵの能力を完全には知らない。セル更新メッセージがＤＲＮＣに送信されるとき、ＷＴＲＵは、拡張ＣＥＬＬ＿ＦＡＣＨ状態を自らがサポートするかどうかだけを示す。拡張ＣＥＬＬ＿ＦＡＣＨ能力を有するＷＴＲＵは、ＨＳ−ＤＳＣＨ受信をＣＥＬＬ＿ＦＡＣＨ状態でのみサポートするか、またはＨＳ−ＤＳＣＨ受信をＣＥＬＬ＿ＦＡＣＨ状態およびＣＥＬＬ／ＵＲＡ＿ＰＣＨ状態の両方でサポートするかについてのオプションを有する。これはセル更新メッセージ内では示されないため、ＤＲＮＣはそのＷＴＲＵをどのようにページングするのか分からない。ＳＲＮＣ（サービング無線ネットワークコントローラ）がページングタイプ１メカニズムを使用してそのＷＴＲＵをページングしようと試みる場合、ＤＲＮＣはそのＷＴＲＵがページングのためにどちらのチャネル（すなわちＨＳ−ＤＳＣＨまたはＰＣＨ／Ｓ−ＣＣＰＣＨ）をモニタするのか分からない。
【００１１】
ＷＴＲＵがＵＲＡ＿ＰＣＨ状態にある場合、ＳＲＮＣによって明確に示されない限り、ＤＲＮＣはそのＷＴＲＵの能力について知らない。ＵＲＡ＿ＰＣＨ状態にあるＷＴＲＵがＳＲＮＣによってページングされ、ＵＴＲＡＮ登録またはセル更新を行わずにセルに移動している場合、またはＷＴＲＵがリリース６ＳＲＮＣに接続されており、そのネットワーク内のリリース７セルに移動する場合、ＳＲＮＣはＷＴＲＵの能力（すなわち拡張ＣＥＬＬ＿ＦＡＣＨ能力）をＤＲＮＣに示さない可能性がある。
【００１２】
第１の場合では、ＳＲＮＣは、ＵＲＡ（ＵＴＲＡＮ登録エリア）群内のセルを制御するＲＮＣにＩｕｒを介してページング要求メッセージ（PAGING REQUESTメッセージ）を送信する。しかしＤＲＮＣは、ＷＴＲＵがどちらのページングチャネル（すなわちＨＳ−ＤＳＣＨまたはＰＣＨ／Ｓ−ＣＣＰＣＨ）をモニタしているのか知らない。そのＷＴＲＵが、ＲＮＣによって制御されているセルのうちの１つの中でもっと前の時点でＵＲＡ更新を行っていない限り、ＤＲＮＣはそのＷＴＲＵの能力について知らない。そのようなものとしてＤＲＮＣは、ＨＳ−ＤＳＣＨ上でのページングをサポートするすべてのセルの中で、ＷＴＲＵをＨＳ−ＤＳＣＨ上でページングすることができる。ただし、ＷＴＲＵがＣＥＬＬ＿ＰＣＨ状態でのＨＳ−ＤＳＣＨ受信をサポートしていない場合、そのＷＴＲＵはページング表示を決して受信することはない。ＤＲＮＣは、ＰＣＨ／Ｓ−ＣＣＰＣＨ上でそのＷＴＲＵをページングすることができる。ただし、そのＷＴＲＵおよびセルの両方がＣＥＬＬ＿ＰＣＨ状態でのＨＳ−ＤＳＣＨ受信をサポートする場合、そのＷＴＲＵはＰＣＨではなくＨＳ−ＤＳＣＨをモニタするので、ページングメッセージを決して受信することはない。
【００１３】
第２の場合では、リリース７ＷＴＲＵがリリース６ＳＲＮＣに接続されながら、同じＵＲＡ内のリリース７セルへと移動する。そのセル内ではＨＳ−ＤＳＣＨページングシステム情報がブロードキャストされているので、そのＷＴＲＵはＨＳ−ＤＳＣＨをページングのためにモニタする。しかし、リリース７ＤＲＮＣは、そのＷＴＲＵの能力についての知識を一切有さないため、そのＷＴＲＵがページングメッセージのためにどちらのチャネルをモニタしているのか知らない。
【００１４】
さらに、ＷＴＲＵが拡張ＰＣＨをサポートせず拡張ＦＡＣＨをサポートする場合では、ＵＲＡ更新がトリガされ、ＣＲＮＣがそのＷＴＲＵの能力について知らない場合、そのＣＲＮＣはどのトランスポートチャネル上でＲＲＣメッセージ（例えば、ＵＲＡ更新確認メッセージ）を送信するのか分からない。
【発明の概要】
【００１５】
ＣＥＬＬ＿ＰＣＨ状態およびＵＲＡ＿ＰＣＨ状態にあるＷＴＲＵをページングするための方法および装置を開示する。ＷＴＲＵは、ＣＥＬＬ＿ＰＣＨ状態およびＵＲＡ＿ＰＣＨ状態でＨＳ−ＤＳＣＨを受信する拡張ＰＣＨ能力の表示を、例えばセル更新メッセージ（CELL UPDATEメッセージ）、ＵＲＡ更新メッセージ（URA UPDATEメッセージ）、またはＵＴＲＡＮモビリティ情報確認メッセージ（UTRAN MOBILITY INFORMATION CONFIRMメッセージ）内で送信することができる。ＤＲＮＣは、そのＷＴＲＵが拡張ＰＣＨ能力を有するかどうかについての表示をサービングＲＮＣから受信し、その表示に基づいてＷＴＲＵをページングすることができる。ＷＴＲＵの能力が知られていない場合、ＲＮＣはＨＳ−ＤＳＣＨ上およびＰＣＨ／Ｓ−ＣＣＰＣＨ上の両方でそのＷＴＲＵをページングすることができる。そのＷＴＲＵは、ＨＳ−ＤＳＣＨおよびＰＣＨ／Ｓ−ＣＣＰＣＨの両方をモニタすることができる。そのＷＴＲＵは、ＳＲＮＣの能力またはネットワークからの構成に基づいてＨＳ−ＤＳＣＨ上での受信を構成することができる。
【図面の簡単な説明】
【００１６】
本発明のより詳細な理解は、例として与えられ添付の図面と組み合わせて理解すべき好ましい実施形態についての以下の説明から得ることができる。
【図１】従来のＵＴＲＡＮを示す図である。
【図２】ＤＲＮＣによって開始されるＳＲＮＳ再配置に関するシグナリング手順を示す図である。
【図３】ＳＲＮＣによって開始されるＳＲＮＳ再配置に関するシグナリング手順を示す図である。
【発明を実施するための形態】
【００１７】
本明細書で言及する際、用語「ＷＴＲＵ」は、ＵＥ（ユーザ装置）、移動局、固定またはモバイル加入者ユニット、ページャ、携帯電話、ＰＤＡ（携帯情報端末）、コンピュータ、または無線環境で動作可能な他の任意のタイプのユーザ装置を含むが、これだけに限定されることはない。また、用語「ノードＢ」は、基地局、サイトコントローラ、ＡＰ（アクセスポイント）、または無線環境で動作可能な他の任意のタイプのインタフェース接続装置を含むが、これだけに限定されることはない。
【００１８】
図１は、従来のＵＴＲＡＮ１００を示す。ＵＴＲＡＮ１００は、複数のＲＮＣ１１０ａ、１１０ｂ、および複数のノードＢ１２０を含む。各ＲＮＣ１１０ａ、１１０ｂは、１つまたは複数のノードＢを制御するためのＣＲＮＣ機能を有する。ＳＲＮＣ１１０ａは、ＷＴＲＵ１３０に関する接続を制御する。ＤＲＮＣ１１０ｂは、特定のＷＴＲＵ１３０に関してＳＲＮＣ１１０ａに対してリソースを貸す。ＷＴＲＵ１３０は、ＣＥＬＬ＿ＦＡＣＨ状態でのＲＮＣ間セル更新およびＳＲＮＣ再配置をサポートするために、セル再選択の後にセル更新メッセージをＣＲＮＣ（このＣＲＮＣはＳＲＮＣまたはＤＲＮＣとすることができる）に送信する。ＷＴＲＵ１３０は、ＣＥＬＬ／ＵＲＡ＿ＰＣＨ状態でのＲＮＣ間モビリティをサポートするために、ＵＲＡの変更を検出した後にＵＲＡ更新メッセージをＣＲＮＣに送信する。
【００１９】
第１の実施形態によれば、このＷＴＲＵは、ＣＥＬＬ＿ＰＣＨ状態でのＨＳ−ＤＳＣＨ受信能力（以後「拡張ＰＣＨ能力」とする）をセル更新メッセージによってＣＲＮＣに示すことができる。この表示は多くの異なる方法で提供することができる。例えば、そのＷＴＲＵがＣＥＬＬ／ＵＲＡ＿ＰＣＨ状態でのＨＳ−ＤＳＣＨ受信をサポートすることを示すために、ＩＥをセル更新メッセージに含めることができる。この情報が提供される場合、ＣＲＮＣは、ＣＥＬＬ＿ＦＡＣＨ状態でのＨＳ−ＤＳＣＨ受信もサポートされていることを推論することができる。オプションとして、このＣＥＬＬ＿ＦＡＣＨ状態でのＨＳ−ＤＳＣＨ受信能力を独立して示すこともできる。このＩＥがない場合、そのＷＴＲＵはＣＥＬＬ／ＵＲＡ＿ＰＣＨ状態でのＨＳ−ＤＳＣＨ受信をサポートしない。
【００２０】
あるいは、従来の「ＵＥ能力表示（UE capability indication）」を拡張して、ＷＴＲＵがＣＥＬＬ＿ＦＡＣＨ状態および／またはＣＥＬＬ／ＵＲＡ＿ＰＣＨ状態でのＨＳ−ＤＳＣＨ受信をサポートするかどうかを示すこともできる。この「ＵＥ能力表示」は、以下の値を取り得る列挙（enumeration）として解釈することができる。  
（１）ＣＥＬＬ＿ＦＡＣＨでのＨＳ−ＤＳＣＨ。これが設定される場合、ＷＴＲＵはＣＥＬＬ＿ＦＡＣＨ状態でのみＨＳ−ＤＳＣＨ受信をサポートする。  
（２）ＣＥＬＬ／ＵＲＡ＿ＰＣＨでのＨＳ−ＤＳＣＨ。これが設定される場合、ＷＴＲＵはＣＥＬＬ＿ＦＡＣＨ状態およびＣＥＬＬ／ＵＲＡ＿ＰＣＨ状態でのＨＳ−ＤＳＣＨ受信をサポートする。  
（３）なし。これが設定される場合、そのＷＴＲＵはＣＥＬＬ＿ＦＡＣＨ状態またはＣＥＬＬ／ＵＲＡ＿ＰＣＨ状態でのＨＳ−ＤＳＣＨ受信をサポートしない。
【００２１】
ＤＲＮＣは、ＷＴＲＵがＣＥＬＬ＿ＰＣＨ状態にあり、かつＣＥＬＬ＿ＰＣＨ状態でのＨＳ−ＤＳＣＨ受信をサポートすることを示すセル更新メッセージを受信すると、個別のＨ−ＲＮＴＩ（ＨＳ−ＤＳＣＨ無線ネットワーク一時的識別子）および他のＣＥＬＬ＿ＰＣＨ固有パラメータを割り当て、これらをＳＲＮＣに転送することができる。セル更新確認メッセージがＨＳ−ＤＳＣＨ上でＷＴＲＵに送信される。
【００２２】
ＤＲＮＣは、ＷＴＲＵの能力情報をメモリ中に記憶することができる。ＳＲＮＣがページング要求メッセージをＩｕｒを介してＤＲＮＣに送信すると、ＤＲＮＣはメモリ中に記憶されたその能力情報に基づいてＨＳ−ＤＳＣＨまたはＰＣＨ／Ｓ−ＣＣＰＣＨ上でＷＴＲＵをページングすることができる。
【００２３】
ＷＴＲＵがＣＥＬＬ＿ＦＡＣＨ状態でのみＨＳ−ＤＳＣＨ受信をサポートする（すなわちＣＥＬＬ／ＵＲＡ＿ＰＣＨ状態でのＨＳ−ＤＳＣＨ受信をサポートしない）場合、ＣＲＮＣは個別のＨ−ＲＮＴＩをそのＷＴＲＵに割り当てる必要はない。ただしそのＣＲＮＣは、セル更新確認メッセージをＨＳ−ＤＳＣＨ上でＷＴＲＵに転送する。
【００２４】
ＵＲＡ更新確認メッセージが受信されることを確実にするために、ＤＲＮＣはＷＴＲＵの能力について知らされる必要がある。ＨＳ−ＤＳＣＨ受信能力情報は、ＵＲＡ更新メッセージを使用してＣＥＬＬ／ＵＲＡ＿ＰＣＨ状態で伝送することができる。このことは、ＵＲＡ更新メッセージを受信するＤＲＮＣが、ＣＥＬＬ／ＵＲＡ＿ＰＣＨ状態でのＨＳ−ＤＳＣＨ受信をそのＷＴＲＵがサポートするかどうかを知ることを可能にする。
【００２５】
この表示は、多くの異なる方法でシグナルすることができる。例えば、ＷＴＲＵがＣＥＬＬ／ＵＲＡ＿ＰＣＨ状態でのＨＳ−ＤＳＣＨ受信をサポートするかどうかを示すために、新たなＩＥ（例えばＣＥＬＬ／ＵＲＡ＿ＰＣＨでのＷＴＲＵ能力表示）をＵＲＡ更新メッセージに含めることができる。さらに、ＷＴＲＵがＣＥＬＬ＿ＦＡＣＨ状態でのＨＳ−ＤＳＣＨ受信をサポートするかどうかを示すために、新たなＩＥ（例えばＣＥＬＬ＿ＦＡＣＨでのＷＴＲＵ能力表示）をＵＲＡ更新メッセージに含めることができる。
【００２６】
あるいは、列挙値である新たなＩＥ（例えばＷＴＲＵ能力表示）を追加することもでき、その際、以下の値のうちの１つを示すことができる。  
（１）ＣＥＬＬ＿ＦＡＣＨでのＨＳ−ＤＳＣＨ。これが設定される場合、ＷＴＲＵはＣＥＬＬ＿ＦＡＣＨでのみＨＳ−ＤＳＣＨ受信をサポートする。  
（２）ＣＥＬＬ／ＵＲＡ＿ＰＣＨでのＨＳ−ＤＳＣＨ。これが設定される場合、ＷＴＲＵはＣＥＬＬ＿ＦＡＣＨおよびＣＥＬＬ／ＵＲＡ＿ＰＣＨでのＨＳ−ＤＳＣＨ受信をサポートする。  
（３）なし。ＣＥＬＬ＿ＦＡＣＨおよび／またはＣＥＬＬ／ＵＲＡ＿ＰＣＨでのＨＳ−ＤＳＣＨ受信に対するサポートなし。
【００２７】
ＷＴＲＵが３ＧＰＰリリース７をサポートすることを示すために、新たなＩＥを追加することができる。
【００２８】
あるＷＴＲＵが、拡張ＣＥＬＬ＿ＦＡＣＨおよび／または拡張ＰＣＨをサポートしないセル（例えばリリース６セル）と、拡張ＣＥＬＬ＿ＦＡＣＨおよび／または拡張ＰＣＨをサポートするセル（例えばリリース７セル）との間を移動する場合、そのＷＴＲＵの能力情報をＲＮＣに転送することができる。ＷＴＲＵの能力情報は、セル更新手順またはＵＲＡ更新手順をトリガすることによって転送することができ、その際ＷＴＲＵは上述のようにこの能力情報を含めることができる。
【００２９】
ＵＲＡ＿ＰＣＨ状態では、新たなセルの能力が前のセルの能力と異なる場合、ＷＴＲＵは同じＵＲＡ内で移動するときでさえ、セル更新手順またはＵＲＡ更新手順を実行することができる。好ましくは、ＵＲＡ更新メッセージを転送することによるＷＴＲＵ能力の表示は、拡張ＦＡＣＨおよび／または拡張ＰＣＨをサポートする新たなセルがＳＲＮＣとは異なるＣＲＮＣによって制御されている場合に実行される（すなわちＳＲＮＣとＣＲＮＣとの間にＩｕｒが確立される）。
【００３０】
ＷＴＲＵは、自らのＵ−ＲＮＴＩ（ＵＴＲＡＮ無線ネットワーク一時的識別情報）内のＳＲＮＣ識別情報が、セル全体にわたってブロードキャストされるセル識別情報のうちの１２の最上位ビットと異なる場合に、ＣＲＮＣがＳＲＮＣと異なると判定することができる。ＵＲＡ更新メッセージを転送することに対するこの追加制約は、ＵＴＲＡＮに送信される必要がある不要なＵＲＡ更新メッセージの数を減らす。
【００３１】
ＷＴＲＵの能力情報を含む不要なＵＲＡ更新メッセージの転送をさらに減らすために、トリガ基準を以下の状況に制限することができる。  
（１）ＷＴＲＵが、拡張ＦＡＣＨおよび／または拡張ＰＣＨをサポートしないセルから、拡張ＦＡＣＨおよび／または拡張ＰＣＨをサポートするセルへと移動している。  
（２）新たなセルが、ＳＲＮＣとは異なるＣＲＮＣによって制御されている。  
（３）新たなセルが、前のセルを制御していたＣＲＮＣとは異なるＣＲＮＣによって制御されている。または  
（４）ＷＴＲＵが、自らが接続されているＳＲＮＣが拡張ＦＡＣＨおよび／または拡張ＰＣＨをサポートするかどうかを知らない。
【００３２】
ＷＴＲＵは、ＳＲＮＣの拡張ＦＡＣＨ能力および／またはＰＣＨ能力を示す内部変数を保持することにより、自らが接続されているＳＲＮＣが拡張ＰＣＨをサポートするかどうかを判定することができる。この内部変数がＦＡＬＳＥに設定される場合、そのＷＴＲＵは、自らが接続されているＳＲＮＣが拡張ＦＡＣＨおよび／または拡張ＰＣＨをサポートするかどうかをあたかも知らないかのように動作する。一方、この内部変数がＴＲＵＥに設定される場合、そのＷＴＲＵは、ＳＲＮＣが拡張ＦＡＣＨおよび／または拡張ＰＣＨをサポートすることを知っている。
【００３３】
この内部変数はＦＡＬＳＥに初期設定されており、また、以下の条件のうちの少なくとも１つが満たされる場合にＦＡＬＳＥにリセットされる。  
（１）ＷＴＲＵに新たなＵ−ＲＮＴＩが割り当てられる。  
（２）ＷＴＲＵのＲＲＣ状態がＣＥＬＬ＿ＤＣＨからＵＲＡ＿ＰＣＨへと変わる。  
（３）ＷＴＲＵのＲＲＣ状態がＣＥＬＬ＿ＦＡＣＨからＵＲＡ＿ＰＣＨへと変わる。  
（４）ＷＴＲＵのＲＲＣ状態がＣＥＬＬ＿ＰＣＨからＵＲＡ＿ＰＣＨへと変わる。  
（５）ＷＴＲＵのＲＲＣ状態がＵＲＡ＿ＰＣＨからＣＥＬＬ＿ＰＣＨ、ＣＥＬＬ＿ＦＡＣＨ、またはＣＥＬＬ＿ＤＣＨへと変わる。  
（６）ＷＴＲＵが、拡張ＰＣＨおよび／または拡張ＦＡＣＨをサポートしないセル内で、ＵＲＡ更新確認メッセージまたは他の任意のＲＲＣメッセージを受信し、新たなＵ−ＲＮＴＩが割り当てられる。  
（７）ＷＴＲＵがＣＥＬＬ＿ＤＣＨ状態にありながら任意のＲＲＣメッセージを受信し、新たなＵ−ＲＮＴＩが割り当てられる。
【００３４】
また、この内部変数は、以下の条件のうちの少なくとも１つが満たされる場合にＴＲＵＥに設定される。  
（１）ＷＴＲＵが、上記のトリガ条件に従って能力情報を含むＵＲＡ更新メッセージの転送をトリガした後に、ＵＲＡ更新確認メッセージを成功裏に受信する場合。  
（２）ＷＴＲＵが、拡張ＦＡＣＨおよび／または拡張ＰＣＨをサポートするセル内でＵＲＡ更新メッセージを転送した後に、ＵＲＡ更新確認メッセージを成功裏に受信する場合。  
（３）ＷＴＲＵが、拡張ＦＡＣＨおよび／または拡張ＰＣＨをサポートするセル内でセル更新メッセージを転送した後に、セル更新確認メッセージを成功裏に受信する場合。  
（４）ＷＴＲＵが、拡張ＦＡＣＨおよび／または拡張ＰＣＨをサポートするセルにローミングし、そのセルは、そのＷＴＲＵが接続されているＳＲＮＣによって制御されている（すなわちＣＲＮＣとＳＲＮＣとが同一ノードである）場合。  
（５）ＷＴＲＵが、拡張ＦＡＣＨおよび／または拡張ＰＣＨをサポートするセル内でＲＲＣ接続を開始する。
【００３５】
あるいは、ＵＲＡ更新メッセージの不要な転送の数を減らすために、ＳＲＮＣは、異なるＲＮＣによって制御されているセルに移動したＷＴＲＵから、拡張ＦＡＣＨおよび／または拡張ＰＣＨを示すＵＲＡ更新メッセージを受信するときに、ＳＲＮＳ（サービング無線ネットワークサブシステム）再配置手順を開始することができる。このことについては以下で図３を参照して詳しく説明する。好ましくは、ＳＲＮＣは、上記の条件のいずれかによってトリガされたＵＲＡ更新メッセージを受信するときに、このＳＲＮＳ再配置を開始することができる。ＷＴＲＵがＵＲＡを変更しておらず、ＵＲＡ更新メッセージがＵＲＡ更新メッセージの転送に関する周期タイマの終了前に受信されている場合、ＳＲＮＣはＵＲＡ更新メッセージがそれらの条件のうちの１つに従ってトリガされたのかどうかを判定することができる。
【００３６】
あるいは、ＳＲＮＣは、ダウンリンクシグナリング転送要求ＲＮＳＡＰ（無線ネットワークサブシステムアプリケーションパート）メッセージ内に、ＷＴＲＵが拡張ＦＡＣＨおよび／または拡張ＰＣＨをサポートすることを示す新たなＩＥを含めることができ、かつ／またはＵＲＡ更新確認メッセージもしくはダウンリンクシグナリング転送要求に含まれる他の任意のメッセージを転送するために、ＤＲＮＣがどのチャネルを使用すべきか示す新たなＩＥを含めることができる。
【００３７】
別の方法としてＷＴＲＵは、自らの能力情報を、セル更新確認メッセージ、ＵＲＡ更新確認メッセージ、またはＵＴＲＡＮモビリティ情報メッセージをＳＲＮＣから受信した後にそのＳＲＮＣに返信されるＵＴＲＡＮモビリティ情報確認メッセージの一部として含めることができる。あるいは、ＵＴＲＡＮモビリティ情報確認メッセージを送信するためのトリガは、ＳＲＮＳ再配置が行われたという表示とすることができる。ＷＴＲＵは、新たなＵ−ＲＮＴＩがＵＲＡ／セル更新確認メッセージまたは他の任意のＲＲＣレイヤメッセージ内に割り当てられる場合に、ＳＲＮＳ再配置が行われたと判定することができる。
【００３８】
第２の実施形態によれば、ＳＲＮＣはページング要求メッセージ内で、どのようにＷＴＲＵをページングするのかをＤＲＮＣに明確に示すことができる。ＲＲＣ接続の確立中に示されたＷＴＲＵの無線アクセス能力または後の任意の能力表示に基づいて、ＳＲＮＣはＩｕｒを介したＲＮＳＡＰページング要求メッセージ内で、ＷＴＲＵが拡張ＰＣＨをサポートするかどうかを１つまたは複数のＤＲＮＣに示すことができる。
【００３９】
ページング要求メッセージ内には新たなＩＥ（例えば拡張ＰＣＨ表示子）を追加することができる。ＤＲＮＣは、ＵＲＡ内の１つまたは複数のセルが拡張ＰＣＨをサポートし、ＷＴＲＵが拡張ＰＣＨをサポートすることをページング要求メッセージ内の「拡張ＰＣＨ表示子」ＩＥが示す場合に、そのＷＴＲＵをＨＳ−ＤＳＣＨ上でページングする。さもなければ、ＤＲＮＣはそのＷＴＲＵをＰＣＨ／Ｓ−ＣＣＰＣＨ上でページングする。ＵＲＡ内のすべてのセルが拡張ＰＣＨをサポートするとは限らない場合、ＤＲＮＣはＷＴＲＵを、拡張ＰＣＨをサポートするセルに関してはＨＳ−ＤＳＣＨ上でページングし、拡張ＰＣＨ能力を有さないセルに関してはＰＣＨ／Ｓ−ＣＣＰＣＨ上でページングすることができる。
【００４０】
拡張ＰＣＨ表示子は、以下の形式のうちの１つまたは組合せをとることができる。  
（１）拡張ＰＣＨがサポートされる場合にのみ存在するオプションのＩＥ。オプションとして、このＩＥがないことは、そのＳＲＮＣがリリース７ＳＲＮＣではないことを暗に意味し得る。  
（２）ＴＲＵＥまたはＦＡＬＳＥに設定することができるＩＥ。  
（３）列挙値であるＩＥであって、以下の値が示される：
ｉ．拡張ＰＣＨ。ＳＲＮＣは拡張ＰＣＨをサポートする。  
ｉｉ．オプションとして、拡張ＦＡＣＨに関する列挙値も含まれ得る。  
ｉｉｉ．ＨＳ−ＤＳＣＨサポートなし。ＳＲＮＣは拡張ＰＣＨ（またはオプションとして拡張ＦＡＣＨ）をサポートしない。  
（４）ページングエリア選択とは独立に提供されるＩＥ。  
（５）ページングエリア選択がＵＲＡである場合にのみ提供されるＩＥ。  
（６）ページングしようとするＷＴＲＵが３ＧＰＰリリース７に準拠していることを示すＩＥ。
【００４１】
あるいは、ＨＳ−ＤＳＣＨ上でのページングをサポートするために、新たなＲＮＳＡＰ（無線ネットワークシステムアプリケーションパート）メッセージを定義することができる（例えばＨＳ−ＤＳＣＨページング要求メッセージ）。ＳＲＮＣは、ＷＴＲＵをＨＳ−ＤＳＣＨ上でページングするためにＨＳ−ＤＳＣＨページング要求メッセージを使用し、ＷＴＲＵをＰＣＨ／Ｓ−ＣＣＰＣＨ上でページングするために従来のページング要求メッセージを使用することができる。
【００４２】
ＳＲＮＣが拡張ＣＥＬＬ＿ＦＡＣＨ状態をサポートしない場合（すなわちリリース６以前のＲＮＣ）、そのＳＲＮＣはページング要求メッセージ内に「拡張ＰＣＨ表示子」ＩＥを含めない。ＤＲＮＣがＳＲＮＣの能力を知らない場合、そのＤＲＮＣはこのことをＷＴＲＵがＨＳ−ＤＳＣＨ上でのページングをサポートしないことの表示としてとり、そのＷＴＲＵをＰＣＨ／Ｓ−ＣＣＰＣＨ上でページングすることができる。しかし、ＷＴＲＵがした先のセルがＨＳ−ＤＳＣＨ上でのページングをサポートする場合、そのＷＴＲＵは、ＰＩＣＨ上でページング表示を検出した後にＨＳ−ＤＳＣＨをモニタする。
【００４３】
あるいは、「拡張ＰＣＨ表示子」ＩＥがページング要求メッセージ内にない場合、ＤＲＮＣは、そのＳＲＮＣが拡張ＣＥＬＬ＿ＦＡＣＨをサポートしない（すなわちリリース６以前のＲＮＣ）と解釈することができる。この「拡張ＰＣＨ表示子」ＩＥは、リリース７ＲＮＳＡＰページング要求メッセージで必須とすることができる。
【００４４】
しかしこのＩＥの存在を利用することは、どのようにＷＴＲＵをページングするのかをＤＲＮＣに対して示さない。例えば、リリース７ＷＴＲＵは、リリース７セル内でＨＳ−ＤＳＣＨをモニタしながらリリース６ＳＲＮＣに接続され得る。したがって、「拡張ＰＣＨ表示子」ＩＥがない場合、ＤＲＮＣは、ＷＴＲＵがページングメッセージを受信することを確実にするために、そのＷＴＲＵをＰＣＨ／Ｓ−ＣＣＰＣＨ上およびＨＳ−ＤＳＣＨ上の両方でページングすることができ、そのＷＴＲＵをＰＣＨ／Ｓ−ＣＣＰＣＨ上でページングすることができ、かつ／またはそのＷＴＲＵをどのようにページングするのか（すなわちＷＴＲＵ能力）を知るために前述の実施形態を利用することができる。
【００４５】
第３の実施形態によれば、ＤＲＮＣは、ＷＴＲＵの能力を知らない場合、ページングメッセージをＨＳ−ＤＳＣＨ上およびＰＣＨ／Ｓ−ＣＣＰＣＨ上で送信することができる。ＤＲＮＣは、上記の任意のメカニズムに従ってＷＴＲＵの能力を判定することができる。
【００４６】
第４の実施形態によれば、ＵＲＡ＿ＰＣＨ状態またはＣＥＬＬ＿ＰＣＨ状態にあるＷＴＲＵは、セルがＨＳ−ＤＳＣＨ上でのページングをサポートする場合（すなわちリリース７セル）、ＷＴＲＵがＨＳ−ＤＳＣＨ上でのページングをサポートする場合（すなわちリリース７ＷＴＲＵ）、および以下の条件、すなわち
（１）ＷＴＲＵが、拡張ＣＥＬＬ＿ＦＡＣＨをサポートしないセルから、拡張ＣＥＬＬ＿ＦＡＣＨをサポートするセルへと移動している、または
（２）ＷＴＲＵが、自らが接続されているＳＲＮＣの能力を知らない（すなわち、ＷＴＲＵはそのＳＲＮＣが拡張ＣＥＬＬ＿ＦＡＣＨ状態をサポートするかどうかを知らない）
という条件のうちの１つまたは複数が満たされる場合、ＰＩＣＨ上のページング表示を復号した後に、ＰＣＣＨフレームを求めてＨＳ−ＤＳＣＨおよびＰＣＨ／Ｓ−ＣＣＰＣＨの両方をモニタすることができる。ＷＴＲＵは、下記の方法に従ってＳＲＮＣの能力を判定することができる。
【００４７】
あるいは、ＷＴＲＵは、ＰＣＣＨフレームを受信するために常にＨＳ−ＤＳＣＨおよびＰＣＨ／Ｓ−ＣＣＰＣＨの両方をモニタすることができる。
【００４８】
ＳＲＮＣの能力を判定するための方法をこの後開示する。ＷＴＲＵがアイドルモードにある（すなわちそのＷＴＲＵがＵＴＲＡＮへのＲＲＣ接続を有さない）場合、そのＷＴＲＵは、ＳＩＢ５／５ｂｉｓ内でブロードキャストされるＨＳ−ＤＳＣＨ共用チャネル情報に基づいて決定されることである、セルが拡張ＣＥＬＬ＿ＦＡＣＨをサポートする場合に、自らが接続しようと試みているＲＮＣが拡張ＣＥＬＬ＿ＦＡＣＨをサポートすると暗に判定することができる。
【００４９】
ＷＴＲＵがＳＲＮＣとのＲＲＣ接続を有する（すなわちＷＴＲＵが接続モードにある）場合、そのＳＲＮＣが拡張ＣＥＬＬ＿ＦＡＣＨをサポートするかどうかを判定するために以下の方法を個別にまたは任意の組合せで使用することができる。
【００５０】
ＷＴＲＵは、ＳＲＮＣとのＲＲＣ接続の寿命の間中の任意の時点で、ＣＥＬＬ＿ＦＡＣＨ状態でのＨＳ−ＤＳＣＨの受信に関して自らを構成している場合、そのＳＲＮＣが拡張ＣＥＬＬ＿ＦＡＣＨ状態をサポートすると判定することができる。あるいはＷＴＲＵは、ＳＲＮＣに接続されながら任意の３ＧＰＰリリース７機能（ＭＩＭＯ（多入力多出力）ＨＳＤＰＡや、６４ＱＡＭ（直交振幅変調）ＨＳＤＰＡなど）を使用して動作するように構成されている場合、そのＳＲＮＣが拡張ＣＥＬＬ＿ＦＡＣＨ状態をサポートすると判定することができる。好ましくは、リリース７ＳＲＮＣは、ＷＴＲＵが、自らが接続されているＳＲＮＣの能力を知ることを確実にするために、ＳＲＮＳ再配置が行われるまたは行われたことをＷＴＲＵに示すことができる。
【００５１】
あるいは、ＷＴＲＵのＳＲＮＣが拡張ＣＥＬＬ＿ＦＡＣＨ状態をサポートすることをそのＷＴＲＵに示し、かつ／またはそのＷＴＲＵを拡張ＰＣＨで動作するように構成するために、ＵＴＲＡＮとＷＴＲＵとの間に新たな個別のＲＲＣレイヤシグナリングを導入することができる。能力情報または構成情報は従来のＲＲＣメッセージ（例えばＲＲＣ接続設定メッセージ（RRC CONNECTION SETUPメッセージ）、セル更新確認メッセージ、ＵＲＡ更新確認メッセージ）に追加でき、またはＳＲＮＣの能力を示すために使用される新たなＲＲＣメッセージ（例えば、ＳＲＮＳ能力情報メッセージ（SRNS CAPABILITY INFORMATIONメッセージ）や、拡張ＰＣＨ設定メッセージ（ENHANCED PCH SETUPメッセージ））内で転送することができる。この能力情報は、拡張ＣＥＬＬ＿ＦＡＣＨ状態に対するサポート、３ＧＰＰリリース７以上に対するサポート、拡張ＰＣＨに対するサポート、および／またはＨＳ−ＤＳＣＨ上でのページングに対するサポートを示すことができる。
【００５２】
あるいは、拡張ＣＥＬＬ＿ＦＡＣＨおよび／または３ＧＰＰリリース７以上をサポートする、ＵＴＲＡＮ内のＲＮＣのリストを提供する新たなブロードキャストシグナリングを提供することができる。
【００５３】
好ましくは、ＳＲＮＣの能力情報は、ＷＴＲＵのＳＲＮＣとのＲＲＣ接続の寿命の間中そのＷＴＲＵによって有効とみなされる。ソースＳＲＮＣまたはターゲットＳＲＮＣは、ソースＳＲＮＣとは異なる能力を有するターゲットＳＲＮＣにＳＲＮＳ再配置が行われる場合に、ＷＴＲＵに能力更新を示すことができる。あるいは、リリース７ソースＳＲＮＣおよび／またはターゲットＳＲＮＣは、ＳＲＮＳ再配置がまさに行われようとしているまたは行われたことを、ＷＴＲＵに知らせることができる。好ましくは、Ｉｕｒを介してＲＮＣ間で能力を交換するメカニズムを利用することができる。例えば、ＳＲＮＳ再配置中、ソースＳＲＮＣは拡張ＰＣＨまたはリリース７をターゲットＳＲＮＣに示すことができる。能力表示がないことは、ピアＲＮＣがこの能力をサポートしないものとして解釈し得る。
【００５４】
別の実施形態によれば、ＷＴＲＵはＳＲＮＳによって示されるように作動することができる。ＳＲＮＳは、ＷＴＲＵが拡張ＰＣＨまたはリリース７をサポートすべきかどうかをそのＷＴＲＵに明確に示すことができる。ＳＲＮＳは、ＷＴＲＵを拡張ＰＣＨを使用して動作するように構成することができる。ＳＲＮＳが拡張ＰＣＨをサポートしない、またはＳＲＮＣがＷＴＲＵを拡張ＰＣＨモードで動作するように構成しない場合、ＷＴＲＵの動作はＳ−ＣＣＰＣＨをモニタするように修正することができる。このことは、ＤＲＮＣが拡張ＰＣＨをサポートし、ＷＴＲＵがモニタしているセルがＳＩＢ５／５ｂｉｓ内でＨＳ−ＤＳＣＨページングシステム情報をブロードキャストしている場合にさえも当てはまる。ＷＴＲＵの動作は、ＳＲＮＳが拡張ＰＣＨをサポートするが、ＨＳ−ＤＳＣＨページングシステム情報がＳＩＢ５／５ｂｉｓ内でブロードキャストされていない場合にもＳ−ＣＣＰＣＨをモニタするように修正することができる。
【００５５】
あるいは、ＷＴＲＵは、そのＷＴＲＵがＨＳ−ＤＳＣＨまたはリリース７をサポートすべきことをＳＲＮＳが示す場合に、ＨＳ−ＤＳＣＨをモニタすることができる。ＷＴＲＵは、ＨＳ−ＤＳＣＨをモニタするようにＳＲＮＳがそのＷＴＲＵを明確に構成する場合にも、ＨＳ−ＤＳＣＨをモニタすることができる。ＨＳ−ＤＳＣＨシステム情報は、ＳＩＢ５／５ｂｉｓ内でブロードキャストされる。
【００５６】
ＳＲＮＳの能力または構成情報は、以下の方法のうちの１つまたは複数を使用してＷＴＲＵに示すことができる。  
（１）ＷＴＲＵをＣＥＬＬ＿ＰＣＨおよび／またはＵＲＡ＿ＰＣＨへと移すために使用されるＲＲＣメッセージ内に、ＳＲＮＳの能力を示す新たなＩＥ（例えば拡張ＰＣＨサポート）を追加する。  
（２）ＵＲＡ更新確認メッセージ、セル更新確認メッセージ、ＵＴＲＡＮモビリティ情報メッセージなど、他のＲＲＣメッセージ内に、ＳＲＮＣの能力を示す新たなＩＥ（例えば拡張ＰＣＨサポート）を追加する。  
（３）ＳＲＮＳ再配置が行われるときにＷＴＲＵにシグナルされる新たなメッセージ（例えば「ＳＲＮＳ再配置情報（SRNS RELOCATION INFO）」）を導入する。ＳＲＮＣの能力はこのメッセージ内で示される。
【００５７】
この新たなＩＥ（例えば拡張ＰＣＨサポート）は、以下の形式のうちの１つまたは組合せをとることができる。  
（１）ＴＲＵＥまたはＦＡＬＳＥに設定することができるＩＥ。  
（２）列挙値であるＩＥであって、以下の値が示される：
ｉ．拡張ＰＣＨ。ＳＲＮＣは拡張ＰＣＨをサポートする。  
ｉｉ．オプションとして、拡張ＦＡＣＨに関する列挙値も含まれ得る。  
（３）列挙値であるＩＥであって、以下の値が示される：
ｉ．拡張ＰＣＨ。ＳＲＮＣは拡張ＰＣＨをサポートする。  
ｉｉ．オプションとして、拡張ＦＡＣＨに関する列挙値も含まれ得る。  
ｉｉｉ．ＨＳ−ＤＳＣＨサポートなし。ＳＲＮＣは拡張ＰＣＨ（またはオプションとして拡張ＦＡＣＨ）をサポートしない。  
（４）拡張ＰＣＨがＳＲＮＣによってサポートされる場合にのみ存在するオプションのＩＥ。  
（５）拡張ＦＡＣＨがＳＲＮＣによってサポートされる場合にのみ存在するオプションのＩＥ。
【００５８】
好ましくは、このＩＥがないことは、そのＳＲＮＣがリリース６以前のＳＲＮＣであることを暗に意味し、したがってＷＴＲＵはそのＳＲＮＣが拡張ＰＣＨおよび／またはリリース７をサポートしないことを暗に知る。このＩＥは、上述のすべてのＲＲＣメッセージに関して必須とすることができ、またはＲＲＣメッセージがＵ−ＲＮＴＩの変更を示す（例えばＩＥ「新たなＵ−ＲＮＴＩ」が存在する）場合に必須とすることができる。新たなＵ−ＲＮＴＩがあることは、ＳＲＮＳ再配置があったことを暗に意味し得る。
【００５９】
ＵＴＲＡＮ側では、ＤＲＮＣは、ＳＲＮＣがリリース７ＳＲＮＣでない場合またはＤＲＮＣが拡張ＰＣＨをサポートしない場合、好ましくはＰＣＨ／Ｓ−ＣＣＰＣＨ上でページングする。さもなければＤＲＮＣは、自らがその中でページングしているセルが拡張ＰＣＨをサポートする場合、ＨＳ−ＤＳＣＨ上でページングする。ＳＲＮＣの能力をＤＲＮＣにシグナリングすることは、上述の方法のうちの１つを使用して行うことができる。
【００６０】
好ましくは、ＳＲＮＣへの接続の寿命の間中、ＷＴＲＵの構成（すなわちＳ−ＣＣＰＣＨ上ではなくＨＳ−ＤＳＣＨ上でページングを受信すること）は有効に保たれる。ＳＲＮＳ再配置が行われるたびに、ＷＴＲＵは拡張ＰＣＨに対するサポートを再評価することができ、または拡張ＰＣＨをサポートするようにＵＴＲＡＮによって再構成され得る。
【００６１】
ＷＴＲＵは、任意のＲＲＣメッセージ内でＵ−ＲＮＴＩの変更を検出することにより、ＳＲＮＣの変更またはＳＲＮＳ再配置を認識することができる。オプションとしてＷＴＲＵは、Ｕ−ＲＮＴＩ内のＳＲＮＣ  ＩＤに関係するビットが変わっている場合に、ＳＲＮＣの変更が行われたことを認識することができる。そのような状況が発生し、Ｕ−ＲＮＴＩを変更するために使用されたメッセージ内に拡張ＰＣＨサポートＩＥがない場合、ＷＴＲＵはＣＥＬＬ／ＵＲＡ＿ＰＣＨ状態にある場合に拡張ＰＣＨで動作することはできず、代わりにＳ−ＣＣＰＣＨをモニタすることができる。あるいは、Ｕ−ＲＮＴＩを変更するために使用されたメッセージ内に拡張ＰＣＨサポートＩＥがある場合、ＷＴＲＵは拡張ＰＣＨ動作を開始することができ、すでに開始している場合は拡張ＰＣＨ動作を継続することができる。
【００６２】
ＵＴＲＡＮは（ソースＳＲＮＣまたはターゲットＳＲＮＣのいずれも）、ソースＳＲＮＣとは異なる能力を有するターゲットＳＲＮＣにＳＲＮＳ再配置が行われる場合に、ＷＴＲＵに能力更新を示すことができる。あるいは、リリース７ソースＳＲＮＣおよびターゲットＳＲＮＣは、ＳＲＮＳ再配置がまさに行われようとしているまたは行われたことを、ＷＴＲＵに知らせることができる。
【００６３】
好ましくは、Ｉｕｒを介してＲＮＣ間で能力情報を交換するためのメカニズムを利用することができる。例えば、ＳＲＮＳ再配置中、ソースＳＲＮＣは拡張ＰＣＨおよび／またはリリース７をターゲットＳＲＮＣに示すことができる。能力表示がないことは、ピアＲＮＣがこの能力をサポートしないことを意味すると解釈し得る。
【００６４】
別の実施形態によれば、ＷＴＲＵは、ＰＣＨ／Ｓ−ＣＣＰＣＨをモニタすべきかＨＳ−ＤＳＣＨをモニタすべきかを、ＷＴＲＵおよびセルの能力ならびに現在のＲＲＣ接続におけるネットワークとの前の通信中にＷＴＲＵが使用した受信方法に関係する追加条件に基づいて決定することができる。この追加条件は、ＣＥＬＬ／ＵＲＡ＿ＰＣＨ状態で使用されるトランスポートチャネルに関して、ネットワークとＷＴＲＵとが同期していることを確実にする。
【００６５】
ＷＴＲＵは、拡張ＰＣＨ能力をサポートするリリース７ＳＲＮＣおよびＤＲＮＣとのＲＲＣ接続を開始してからＲＲＣメッセージを送信している場合、ＣＥＬＬ／ＵＲＡ＿ＰＣＨ状態においてＨＳ−ＤＳＣＨのみをモニタすることができる。そのＷＴＲＵは、この能力をサポートしないＲＮＣにＲＲＣメッセージを成功裏に送信するときから、Ｓ−ＣＣＰＣＨのみをモニタする。ＷＴＲＵは、ＲＲＣ接続が終わるまで、後続のすべてのＲＲＣメッセージ内にこの能力ＩＥを含めないことにより、ネットワークがＳ−ＣＣＰＣＨ上でのみページングを送信することを確実にする。ＷＴＲＵおよびネットワークにおいて実施される詳細手順を以下に説明する。
【００６６】
成功裏のＲＲＣ接続に際して、ＣＥＬＬ／ＵＲＡ＿ＰＣＨ状態においてＨＳ−ＤＳＣＨを受信する能力があるＷＴＲＵは、そのＷＴＲＵがＣＥＬＬ／ＵＲＡ＿ＰＣＨ状態においてＨＳ−ＤＳＣＨを受信しようと試みてよいかどうかを示す内部変数（例えばＨＳ＿ＤＳＣＨ＿ＲＥＣＥＰＴＩＯＮ＿ＣＥＬＬ＿ＰＣＨ）を設定する。この変数は、セルがこの能力をサポートする場合はＴＲＵＥに設定され、この能力をサポートしない場合はＦＡＬＳＥに設定される。
【００６７】
セル再選択に際して、ＷＴＲＵは、ブロードキャストされるＳＩＢによって示されるようにセルがこの能力をサポートする場合、および変数ＨＳ＿ＤＳＣＨ＿ＲＥＣＥＰＴＩＯＮ＿ＣＥＬＬ＿ＰＣＨがＴＲＵＥに設定されている場合にのみ、ＣＥＬＬ／ＵＲＡ＿ＰＣＨ状態においてＨＳ−ＤＳＣＨの受信を開始する。ＷＴＲＵは、この能力をサポートしないセル内での成功裏のセル更新手順またはＵＲＡ更新手順の完了時に、この変数ＨＳ＿ＤＳＣＨ＿ＲＥＣＥＰＴＩＯＮ＿ＣＥＬＬ＿ＰＣＨをＦＡＬＳＥに設定する。この内部変数は、ＲＲＣ接続を解放するまで、または次の成功裏のＲＲＣ接続要求までこの値を保つ。この内部変数がＦＡＬＳＥに設定される場合、ＷＴＲＵは自らの能力ＩＥをセル更新メッセージまたはＵＲＡ更新メッセージ内に含めず、ＣＥＬＬ／ＵＲＡ＿ＰＣＨ状態においてＨＳ−ＤＳＣＨ上で受信しない（すなわち、そのＷＴＲＵはＳ−ＣＣＰＣＨ上で受信する）。オプションとして、ＷＴＲＵは、ＳＲＮＳ再配置が行われたと（例えばＵ−ＲＮＴＩの特定の部分の変更に基づいて）判定する場合、およびセルが拡張ＰＣＨをサポートする場合に、この内部変数をＴＲＵＥに設定することができる。
【００６８】
ページング情報またはページングデータがＣｅｌｌ＿ＰＣＨ状態またはＵＲＡ＿ＰＣＨ状態にあるＷＴＲＵに伝送されるとき、ＳＲＮＣ（リリース７の場合）は、上述のようにそのＷＴＲＵが拡張ＰＣＨ能力をサポートすると判定する場合に、ＷＴＲＵの能力情報をページング要求とともにＤＲＮＣに送信する。ＤＲＮＣがリリース７でありこの能力をサポートする場合、そのＤＲＮＣは、この能力をサポートする関係しているセル内ではＨＳ−ＤＳＣＨ上でページングメッセージを送信し、他の関係しているセル内ではＳ−ＣＣＰＣＨ上でページングメッセージを送信する。他のすべての場合では、ページングメッセージはすべての関係しているセルに関してＳ−ＣＣＰＣＨ上で送信される。この関係しているセルには、ＤＲＮＣによって制御されるすべてのセルおよびＷＴＲＵがＵＲＡ＿ＰＣＨ状態にある場合はＵＲＡの一部分が含まれ、またはＷＴＲＵがＣＥＬＬ＿ＰＣＨ状態にある場合は単一のセルが含まれる。
【００６９】
この能力をサポートしないＤＲＮＣ（例えばリリース６ＤＲＮＣ）は、Ｓ−ＣＣＰＣＨ上でページングメッセージを送信する。さらに、この能力をサポートしないＳＲＮＣは、ＷＴＲＵの能力をページング要求とともにＤＲＮＣに送信しない。
【００７０】
ＳＲＮＣがＣＲＮＣと同じであり（すなわちＤＲＮＣがない場合）、ＷＴＲＵが拡張ＰＣＨ能力をサポートするとそのＳＲＮＣが判定する場合、そのＳＲＮＣは、拡張ＰＣＨ能力をサポートするすべての関係しているセル内でＨＳ−ＤＳＣＨ上でページングメッセージを送信し、他の関係しているセル内ではＳ−ＣＣＰＣＨ上でページングメッセージを送信する。リリース７ＳＲＮＣのみが、ＷＴＲＵが拡張ＰＣＨ能力をサポートすることを判定することができる。リリース６ＳＲＮＣは、すべての関係しているセル内でＳ−ＣＣＰＣＨ上でページングメッセージを送信する。
【００７１】
リリース７ＳＲＮＣが、ＷＴＲＵがメッセージを伝送する発信源であるセルのＣＲＮＣである場合、またはＷＴＲＵがメッセージを伝送する発信源であるセルのＣＲＮＣから中継される場合、リリース７ＳＲＮＣは、ＷＴＲＵから直接伝送されるセル更新メッセージ、ＵＲＡ更新メッセージ、ＲＲＣ接続要求メッセージなどの受信メッセージ内に能力ＩＥが含まれているかどうかに基づいて、そのＷＴＲＵの拡張ＰＣＨ能力を判定する。後者の場合は、ＣＲＮＣがリリース７ＣＲＮＣである場合にのみ、この能力がＳＲＮＣに中継される。ＣＲＮＣがリリース６ＣＲＮＣである場合はこの能力はＳＲＮＣに中継されず、ＳＲＮＣは、ＷＴＲＵがＣＥＬＬ＿ＰＣＨ状態またはＵＲＡ＿ＰＣＨ状態においてＨＳ−ＤＳＣＨを受信する能力がないと判定する。
【００７２】
リリース７ＳＲＮＣは、ＷＴＲＵから伝送されるまたはＣＲＮＣから中継される新たなメッセージの受信時に、このＷＴＲＵの能力を判定する際に、過去のメッセージ内の能力ＩＥの存在は考慮に入れない。例えば、ＳＲＮＣはＷＴＲＵが拡張ＰＣＨ能力を有するとある特定の時点で判定しており、その後、拡張ＰＣＨ能力を示さない、ＷＴＲＵからのメッセージまたはＣＲＮＣから中継されるメッセージを受信し、その時点から、ＳＲＮＣはそのＷＴＲＵが拡張ＰＣＨ能力を有さないと判定する。
【００７３】
あるいは、ＷＴＲＵは、ＳＲＮＣが拡張ＰＣＨをサポートしないことを示す情報をネットワークから受信する場合にのみ、この内部変数（ＨＳ＿ＤＳＣＨ＿ＲＥＣＥＰＴＩＯＮ＿ＣＥＬＬ＿ＰＣＨ）をＦＡＬＳＥに修正することができる。そのような情報は、拡張ＰＣＨ機能を利用できないセル内のＩＥ「新たなＵ−ＲＮＴＩ」を含む、ネットワークからのＲＲＣメッセージとすることができる。この情報はＩＥ「新たなＵ−ＲＮＴＩ」を含む、ネットワークからのＲＲＣメッセージとすることができ、この新たなＵ−ＲＮＴＩの値は、拡張ＰＣＨ機能を利用できないセル内でＲＮＣ  ＩＤが変更されたこと（ＳＲＮＳ再配置）を示す。この情報は、拡張ＰＣＨ機能を利用できないセル内のＵＴＲＡＮモビリティ情報メッセージとすることができる。ＲＮＣは、ＲＲＣ接続確立手順によりまたはＳＲＮＳ再配置手順により、ＷＴＲＵの能力情報を得ることができる。ＲＮＣがセル更新メッセージまたはＵＲＡ更新メッセージによってこの能力情報を得ることは要求されていない。ＷＴＲＵおよびネットワークにおける詳細手順を以下に説明する。
【００７４】
成功裏のＲＲＣ接続に際して、Ｃｅｌｌ／ＵＲＡ＿ＰＣＨ状態においてＨＳ−ＤＳＣＨを受信する能力があるＷＴＲＵは、そのＷＴＲＵがＣｅｌｌ／ＵＲＡ＿ＰＣＨ状態においてＨＳ−ＤＳＣＨを受信しようと試みてよいかどうかを示す内部変数（例えばＨＳ＿ＤＳＣＨ＿ＲＥＣＥＰＴＩＯＮ＿ＣＥＬＬ＿ＰＣＨ）を設定することができる。この内部変数は、セルがこの能力をサポートする場合はＴＲＵＥに設定され、この能力をサポートしない場合はＦＡＬＳＥに設定される。
【００７５】
セル再選択に際してＷＴＲＵは、そのセルが、ブロードキャストされるＳＩＢによって示されるようにこの能力をサポートする場合、および内部変数ＨＳ＿ＤＳＣＨ＿ＲＥＣＥＰＴＩＯＮ＿ＣＥＬＬ＿ＰＣＨがＴＲＵＥに設定される場合にのみ、Ｃｅｌｌ／ＵＲＡ＿ＰＣＨ状態においてＨＳ−ＤＳＣＨの受信を開始することができる。ＷＴＲＵは、上記の条件のうちの１つまたは複数を満たすＲＲＣメッセージを受信したときに、この変数ＨＳ＿ＤＳＣＨ＿ＲＥＣＥＰＴＩＯＮ＿ＣＥＬＬ＿ＰＣＨをＦＡＬＳＥに設定する。この変数は、ＲＲＣ接続を解放するまで、または次の成功裏のＲＲＣ接続要求までこの値を保つ。
【００７６】
ページングまたはデータがＣｅｌｌ＿ＰＣＨ状態またはＵＲＡ＿ＰＣＨ状態にあるＷＴＲＵに伝送されるとき、ＳＲＮＣ（リリース７の場合）は、ＷＴＲＵがこの能力をサポートし、ＨＳ−ＤＳＣＨ上でのページングの受信を試みると判定する場合に、ＷＴＲＵの能力情報をページング要求とともにＤＲＮＣに送信する。
【００７７】
ＳＲＮＣは、ＷＴＲＵがこのＲＮＣとの自らのＲＲＣ接続を開始する場合はＲＲＣ接続確立手順により、またはソースＳＲＮＣからターゲットＳＲＮＣにトランスペアレントなコンテナ内でＷＴＲＵの能力情報を転送することによるＳＲＮＳ再配置により、ＷＴＲＵの能力情報を得る。この転送は、ソースＳＲＮＣが拡張ＰＣＨ能力について知る場合（リリース７以上）にのみ可能であることに留意すべきである。
【００７８】
ＳＲＮＣは、ＷＴＲＵがこの能力をサポートすることを知っている場合、およびＷＴＲＵが自らの変数をＦＡＬＳＥに設定するために検査する同じ条件または１組の条件を満たすＲＲＣメッセージをＷＴＲＵに１度も送信していない場合、そのＷＴＲＵがＨＳ−ＤＳＣＨ上でページングの受信を試みることを知る。ＵＴＲＡＮおよびＷＴＲＵは、同じ条件または１組の条件を使用しなければならない。これは好ましくは予め定められている。
【００７９】
ＤＲＮＣが、拡張ＰＣＨ能力をサポートするリリース７ＤＲＮＣであり、ＳＲＮＣからＷＴＲＵが拡張ＰＣＨ能力をサポートすることを示すページング要求メッセージを受信する場合、ＤＲＮＣは、拡張ＰＣＨ能力をサポートする関係しているセル内ではＨＳ−ＤＳＣＨ上でページングメッセージを送信し、他の関係しているセル内ではＳ−ＣＣＰＣＨ上でページングメッセージを送信する。他のすべての場合では、ページングメッセージはすべての関係しているセルに関してＳ−ＣＣＰＣＨ上で送信される。この関係しているセルには、ＤＲＮＣによって制御されるすべてのセルおよびＷＴＲＵがＵＲＡ＿ＰＣＨ状態にある場合はＵＲＡの一部分が含まれ、またはＷＴＲＵがＣｅｌｌ＿ＰＣＨ状態にある場合は単一のセルが含まれる。この拡張ＰＣＨ能力をサポートしないＤＲＮＣは、Ｓ−ＣＣＰＣＨ上でページングメッセージを送信する。この拡張ＰＣＨ能力をサポートしないＳＲＮＣは、ＷＴＲＵの能力情報をページング要求とともにＤＲＮＣに送信しない。
【００８０】
ＳＲＮＣがＣＲＮＣと同じであり（すなわちＤＲＮＣはない）、ＷＴＲＵが拡張ＰＣＨ能力をサポートするとそのＳＲＮＣが判定する場合、そのＳＲＮＣは、この能力をサポートするすべての関係しているセル内でＨＳ−ＤＳＣＨ上でページングメッセージを送信し、他の関係しているセル内ではＳ−ＣＣＰＣＨ上でページングメッセージを送信する。リリース７ＳＲＮＣのみが、ＷＴＲＵが拡張ＰＣＨ能力を有することを判定することができる。リリース６ＳＲＮＣは、すべての関係しているセル内でＳ−ＣＣＰＣＨ上でページングメッセージを送信する。
【００８１】
図２は、ＤＲＮＣによって開始されるＳＲＮＳ再配置に関するシグナリング手順２００を示す。リリース７ＤＲＮＣは、リリース７ＷＴＲＵがリリース６ＳＲＮＣへのＲＲＣ接続を有しながら、リリース７セルから移動したことを認識したときにＳＲＮＳ再配置手順を開始する。ＷＴＲＵは、リリース６セルからリリース７セルへとセル再選択を行う（ステップ２０２）。次いでＷＴＲＵは、ＲＡＣＨ（ランダムアクセスチャネル）を介してＵＲＡ更新メッセージをターゲットＲＮＣ（すなわちＤＲＮＣ）に送信する（ステップ２０４）。このＵＲＡ更新メッセージは、上記のようにＷＴＲＵの拡張ＰＣＨ能力についての表示を含む。ターゲットＲＮＣが、ＷＴＲＵとソースＲＮＣ（すなわちＳＲＮＣ）とにおいて能力不一致を認識する（ステップ２０６）。ＳＲＮＳ再配置手順を開始するために、ターゲットＲＮＣが、Ｉｕインタフェースを介して再配置要求メッセージをコアネットワークに送信する（ステップ２０８）。この再配置要求は、ターゲットＲＮＣがＳＲＮＳ再配置を要求できるようにするために従来のＲＡＮＡＰシグナリング（例えば、再配置要請（RELOCATION REQUIRED））の使用を拡張することにより、またはターゲットＲＮＣとＣＮとの間で新たなＲＡＮＡＰ信号（例えば、再配置要求）を定義することにより、実現することができる。
【００８２】
コアネットワーク、ソースＲＮＣ、およびターゲットＲＮＣがＳＲＮＳ再配置を行う（ステップ２１０）。ＳＲＮＳ再配置が完了すると、前はＤＲＮＣであった新たなＳＲＮＣがリリース７ＵＲＡ更新確認メッセージを作成し、ＨＳ−ＤＳＣＨ上でＷＴＲＵに転送する（ステップ２１２）。
【００８３】
あるいは、ＤＲＮＣはＩｕｒインタフェースを介して再配置要求メッセージ（ＲＮＳＡＰ）を転送し、ＳＲＮＣはＩｕインタフェースを介してコアネットワークとの従来のＳＲＮＳ再配置手順を開始することができる。
【００８４】
図３は、ＳＲＮＣによって開始されるＳＲＮＳ再配置に関するシグナリング手順３００を示す。ＷＴＲＵは、リリース６セルからリリース７セルへとセル再選択を行う（ステップ３０２）。次いでＷＴＲＵは、ＲＡＣＨ（ランダムアクセスチャネル）を介してＵＲＡ更新メッセージをターゲットＲＮＣ（すなわちＤＲＮＣ）に送信する（ステップ３０４）。このＵＲＡ更新メッセージは、上記のようにＷＴＲＵの拡張ＰＣＨ能力についての表示を含む。ターゲットＲＮＣが、アップリンクシグナリング転送メッセージをソースＲＮＣ（すなわちＳＲＮＣ）に送信する（ステップ３０６）。ＳＲＮＣが、ＷＴＲＵとＳＲＮＣとにおいて能力不一致を認識し、ＳＲＮＳ再配置手順を開始する（ステップ３０８）。
【００８５】
ＳＲＮＣは、以下の条件のうちの１つまたは組合せが満たされる場合にＳＲＮＳ再配置手順を開始する。  
（１）ＳＲＮＣがサポートしない能力をＷＴＲＵが有する（例えばＷＴＲＵがリリース７ＷＴＲＵであり、ＳＲＮＣがリリース６ＳＲＮＣである）ことを示すＲＲＣメッセージを、ＳＲＮＣがＷＴＲＵから受信する。  
（２）ＳＲＮＣが拡張ＰＣＨをサポートしない場合、個別のＨ−ＲＮＴＩを含むアップリンクシグナリング転送メッセージをＳＲＮＣがＩｕｒを介して受信する。  
（３）ＷＴＲＵが、ＳＲＮＣによってサポートされていない能力を有するＲＮＣ（すなわちＤＲＮＣ）によって制御されているセルに移動している。  
（４）別のＲＮＣによって制御されているセルにＷＴＲＵが移動するとき、拡張ＰＣＨをサポートしないＳＲＮＣが、そのＷＴＲＵから、そのＷＴＲＵが拡張ＰＣＨをサポートすることを示すＵＲＡ更新メッセージを受信する。
【００８６】
コアネットワーク、ソースＲＮＣ、およびターゲットＲＮＣがＳＲＮＳ再配置を行う（ステップ３１０）。ＳＲＮＳ再配置が完了すると、前はＤＲＮＣであった新たなＳＲＮＣがリリース７ＵＲＡ更新確認メッセージを作成し、ＨＳ−ＤＳＣＨ上でＷＴＲＵに転送する（ステップ３１２）。好ましくは、この再配置手順のターゲットＲＮＣは既存のＤＲＮＣ（すなわちＷＴＲＵが接続されているセルを制御するＣＲＮＣ）である。
【００８７】
ＵＴＲＡＮ内の２つ以上のＲＮＣが、ＷＴＲＵの能力に関係する情報を交換することができる。ＷＴＲＵの能力についての知識を有するあるＲＮＣが情報を別のＲＮＣと共有できるようにするために、新たなＲＮＳＡＰメッセージを使用することができる。このＲＮＣは、ＷＴＲＵの能力情報を任意の所与のＲＮＣに送信することができる。このＲＮＣは、ＷＴＲＵの能力情報を多くのＲＮＣにブロードキャストすることができる。あるいは、あるＲＮＣが別のＲＮＣに対して、そのＲＮＣが所与のＷＴＲＵの能力に関する知識を有する場合に、ＷＴＲＵの能力情報を送信するように要求することができる。
【００８８】
実施形態
１．ＣＥＬＬ＿ＰＣＨ状態およびＵＲＡ＿ＰＣＨ状態にあるＷＴＲＵをページングする方法。
【００８９】
２．ＣＥＬＬ＿ＰＣＨ状態およびＵＲＡ＿ＰＣＨ状態においてＨＳ−ＤＳＣＨを受信する、拡張ＰＣＨ能力を示す表示をＷＴＲＵが送信するステップを含む実施形態１に記載の方法。
【００９０】
３．ＣＥＬＬ＿ＦＡＣＨ状態においてＨＳ−ＤＳＣＨを受信する、拡張ＦＡＣＨ能力を示す第２の表示をＷＴＲＵが送信するステップをさらに含む実施形態２に記載の方法。
【００９１】
４．その表示は、セル更新メッセージ、ＵＲＡ更新メッセージ、およびＵＴＲＡＮモビリティ情報確認メッセージのうちの１つに含まれる実施形態２〜３のいずれか１つに記載の方法。
【００９２】
５．その表示を含むセル更新メッセージおよびＵＲＡ更新メッセージは、新たなセルの能力が前のセルの能力と異なる場合に送信される実施形態４に記載の方法。
【００９３】
６．その表示を含むＵＲＡ更新メッセージは、拡張ＰＣＨをサポートする新たなセルがＳＲＮＣとは異なるＣＲＮＣによって制御されている場合に送信される実施形態４〜５のいずれか１つに記載の方法。
【００９４】
７．ＷＴＲＵは、Ｕ−ＲＮＴＩ内のＳＲＮＣ識別情報がセル識別情報のうちの１２の最上位ビットと異なる場合に、ＣＲＮＣがＳＲＮＣと異なると判定する実施形態６に記載の方法。
【００９５】
８．ＷＴＲＵは、拡張ＦＡＣＨおよび／または拡張ＰＣＨをサポートしないセルから、拡張ＦＡＣＨおよび／または拡張ＰＣＨをサポートするセルへと移動している場合に、その表示を含むＵＲＡ更新メッセージを送信する実施形態４〜７のいずれか１つに記載の方法。
【００９６】
９．ＷＴＲＵは、新たなセルが前のセルを制御していたＣＲＮＣとは異なるＣＲＮＣによって制御されている場合に、その表示を含むＵＲＡ更新メッセージを送信する実施形態４〜８のいずれか１つに記載の方法。
【００９７】
１０．ＷＴＲＵは、ＳＲＮＣの拡張ＦＡＣＨ能力および／またはＰＣＨ能力を示す内部変数を保持することにより、自らが接続されているＳＲＮＣが拡張ＰＣＨをサポートするかどうかを判定する実施形態２〜９のいずれか１つに記載の方法。
【００９８】
１１．この内部変数は、以下の条件、すなわち、ＷＴＲＵに新たなＵ−ＲＮＴＩが割り当てられる場合、ＷＴＲＵのＲＲＣ状態がＣＥＬＬ＿ＤＣＨからＵＲＡ＿ＰＣＨへと変わる場合、ＷＴＲＵのＲＲＣ状態がＣＥＬＬ＿ＦＡＣＨからＵＲＡ＿ＰＣＨへと変わる場合、ＷＴＲＵのＲＲＣ状態がＣＥＬＬ＿ＰＣＨからＵＲＡ＿ＰＣＨへと変わる場合、ＷＴＲＵのＲＲＣ状態がＵＲＡ＿ＰＣＨからＣＥＬＬ＿ＰＣＨ、ＣＥＬＬ＿ＦＡＣＨ、またはＣＥＬＬ＿ＤＣＨへと変わる場合、ＷＴＲＵが、拡張ＰＣＨおよび／または拡張ＦＡＣＨをサポートしないセル内でＲＲＣメッセージを受信し、新たなＵ−ＲＮＴＩが割り当てられる場合、およびＷＴＲＵがＣＥＬＬ＿ＤＣＨ状態にありながらＲＲＣメッセージを受信し、新たなＵ−ＲＮＴＩが割り当てられる場合、のうちのいずれか１つが満たされる場合にＦＡＬＳＥに設定される実施形態１０に記載の方法。
【００９９】
１２．この内部変数は、以下の条件、すなわち、ＷＴＲＵが、その表示を含むＵＲＡ更新メッセージの転送をトリガした後に、ＵＲＡ更新確認メッセージを成功裏に受信する場合、ＷＴＲＵが、拡張ＦＡＣＨおよび／または拡張ＰＣＨをサポートするセル内でＵＲＡ更新メッセージを転送した後に、ＵＲＡ更新確認メッセージを成功裏に受信する場合、ＷＴＲＵが、拡張ＦＡＣＨおよび／または拡張ＰＣＨをサポートするセル内でセル更新メッセージを転送した後に、セル更新確認メッセージを成功裏に受信する場合、ＷＴＲＵが、拡張ＦＡＣＨおよび／または拡張ＰＣＨをサポートするセルに移動し、そのセルは、そのＷＴＲＵが接続されているＳＲＮＣによって制御されている場合、およびＷＴＲＵが、拡張ＦＡＣＨおよび／または拡張ＰＣＨをサポートするセル内でＲＲＣ接続を開始する場合、のうちの少なくとも１つが満たされる場合にＴＲＵＥに設定される実施形態１０〜１１のいずれか１つに記載の方法。
【０１００】
１３．ＣＥＬＬ＿ＰＣＨ状態およびＵＲＡ＿ＰＣＨ状態にあるＷＴＲＵをページングする方法。
【０１０１】
１４．ＣＥＬＬ＿ＰＣＨ状態およびＵＲＡ＿ＰＣＨ状態においてＨＳ−ＤＳＣＨを受信する、拡張ＰＣＨ能力をそのＷＴＲＵが有するかどうかを示す表示を受信するステップを含む実施形態１３に記載の方法。
【０１０２】
１５．その表示に基づいてそのＷＴＲＵをページングするステップを含む実施形態１４に記載の方法。
【０１０３】
１６．その表示は、ＳＲＮＣからのページング要求メッセージに含まれる実施形態１４〜１５のいずれか１つに記載の方法。
【０１０４】
１７．その表示は、ＷＴＲＵが拡張ＰＣＨ能力を有する場合にのみ、ページング要求メッセージ内に存在する実施形態１４〜１６のいずれか１つに記載の方法。
【０１０５】
１８．その表示は、ＳＲＮＣが拡張ＰＣＨ能力を有する場合にのみ、ページング要求メッセージ内に提供される実施形態１４〜１７のいずれか１つに記載の方法。
【０１０６】
１９．その表示は、ページングエリア選択とは独立に提供される実施形態１４〜１８のいずれか１つに記載の方法。
【０１０７】
２０．その表示は、ページングエリア選択がＵＲＡである場合にのみ提供される実施形態１４〜１９のいずれか１つに記載の方法。
【０１０８】
２１．その表示がページング要求メッセージ内にない場合、ＷＴＲＵはＰＣＨ／Ｓ−ＣＣＰＣＨ上でページングされる実施形態１４〜２０のいずれか１つに記載の方法。
【０１０９】
２２．その表示がページング要求メッセージ内にない場合、ＷＴＲＵはＨＳ−ＤＳＣＨ上およびＰＣＨ／Ｓ−ＣＣＰＣＨ上の両方でページングされる実施形態１４〜２０のいずれか１つに記載の方法。
【０１１０】
２３．ＷＴＲＵに関するページング要求メッセージを受信するステップを含む実施形態１３に記載の方法。
【０１１１】
２４．ＣＥＬＬ＿ＰＣＨ状態およびＵＲＡ＿ＰＣＨ状態においてＨＳ−ＤＳＣＨを受信するＷＴＲＵの能力が知られていない場合に、ＨＳ−ＤＳＣＨ上およびＰＣＨ／Ｓ−ＣＣＰＣＨ上の両方でそのＷＴＲＵをページングするステップを含む実施形態２３に記載の方法。
【０１１２】
２５．ＣＥＬＬ＿ＰＣＨ状態およびＵＲＡ＿ＰＣＨ状態にあるＷＴＲＵをページングする方法。
【０１１３】
２６．ＰＩＣＨ上のページング表示を復号するステップを含む実施形態２５に記載の方法。
【０１１４】
２７．ＣＥＬＬ＿ＰＣＨ状態およびＵＲＡ＿ＰＣＨ状態のうちの１つにおいて、ＨＳ−ＤＳＣＨおよびＰＣＨ／Ｓ−ＣＣＰＣＨの両方をモニタするステップを含む実施形態２６に記載の方法。
【０１１５】
２８．ページングメッセージを受信するステップを含む実施形態２７に記載の方法。
【０１１６】
２９．ＷＴＲＵは、サービングセルがＨＳ−ＤＳＣＨ上でのページングをサポートする場合に、ＨＳ−ＤＳＣＨおよびＰＣＨ／Ｓ−ＣＣＰＣＨの両方をモニタする実施形態２７〜２８のいずれか１つに記載の方法。
【０１１７】
３０．ＷＴＲＵは、拡張ＣＥＬＬ＿ＦＡＣＨをサポートしないセルから、拡張ＣＥＬＬ＿ＦＡＣＨをサポートするセルへと移動している場合に、ＨＳ−ＤＳＣＨおよびＰＣＨ／Ｓ−ＣＣＰＣＨの両方をモニタする実施形態２７〜２９のいずれか１つに記載の方法。
【０１１８】
３１．ＷＴＲＵは、自らが接続されているＳＲＮＣの能力を知らない場合に、ＨＳ−ＤＳＣＨおよびＰＣＨ／Ｓ−ＣＣＰＣＨの両方をモニタする実施形態２７〜３０のいずれか１つに記載の方法。
【０１１９】
３２．ＣＥＬＬ＿ＦＡＣＨ状態においてＨＳ−ＤＳＣＨの受信をサポートする、拡張ＦＡＣＨ能力をＳＲＮＣが有するかどうかをＷＴＲＵが判定するステップを含む実施形態２５に記載の方法。
【０１２０】
３３．ＳＲＮＣの能力に基づいて、ＨＳ−ＤＳＣＨ上でメッセージを受信するようにＷＴＲＵが構成を行うステップを含む実施形態３２に記載の方法。
【０１２１】
３４．アイドルモードにあるＷＴＲＵは、選択されたセルが拡張ＦＡＣＨ能力を有する場合に、自らが接続しようと試みているＳＲＮＣが拡張ＦＡＣＨ能力を有すると判定する実施形態３２〜３３のいずれか１つに記載の方法。
【０１２２】
３５．ＲＲＣ接続モードにあるＷＴＲＵは、ＳＲＮＣとのＲＲＣ接続の寿命の間中の任意の時点で、ＣＥＬＬ＿ＦＡＣＨ状態でのＨＳ−ＤＳＣＨの受信に関して自らを構成している場合、そのＳＲＮＣが拡張ＦＡＣＨ能力を有すると判定する実施形態３２〜３４のいずれか１つに記載の方法。
【０１２３】
３６．ＲＲＣ接続モードにあるＷＴＲＵは、ＳＲＮＣに接続されながら任意の３ＧＰＰリリース７機能を使用して動作するように構成されている場合、そのＳＲＮＣが拡張ＦＡＣＨ能力を有すると判定する実施形態３２〜３５のいずれか１つに記載の方法。
【０１２４】
３７．ＷＴＲＵは、個別のＲＲＣシグナリングによってＳＲＮＣの能力を得る実施形態３２〜３６のいずれか１つに記載の方法。
【０１２５】
３８．ＷＴＲＵは、拡張ＣＥＬＬ＿ＦＡＣＨをサポートするＲＮＣのリストを提供するブロードキャストシグナリングによってＳＲＮＣの能力を得る実施形態３２〜３７のいずれか１つに記載の方法。
【０１２６】
３９．ＣＥＬＬ＿ＰＣＨ状態およびＵＲＡ＿ＰＣＨ状態にあるＷＴＲＵをページングする方法。
【０１２７】
４０．ＣＥＬＬ＿ＰＣＨ状態およびＵＲＡ＿ＰＣＨ状態においてＨＳ−ＤＳＣＨを受信する、拡張ＰＣＨ能力をＷＴＲＵがサポートすべきかどうかを示すメッセージを、そのＷＴＲＵが受信するステップを含む実施形態３９に記載の方法。
【０１２８】
４１．そのメッセージに基づいて、ページングメッセージを受信するための構成をＷＴＲＵが行うことを含む実施形態４０に記載の方法。
【０１２９】
４２．ＷＴＲＵは、ＳＲＮＳが拡張ＰＣＨをサポートしない場合に、Ｓ−ＣＣＰＣＨをモニタする実施形態４０〜４１のいずれか１つに記載の方法。
【０１３０】
４３．ＷＴＲＵは、ＳＲＮＳが拡張ＰＣＨをサポートするが、ＨＳ−ＤＳＣＨページングシステム情報がセル内でブロードキャストされていない場合に、Ｓ−ＣＣＰＣＨをモニタする実施形態４０〜４２のいずれか１つに記載の方法。
【０１３１】
４４．この構成は、ＳＲＮＣへの接続の寿命の間中有効である実施形態４１〜４３のいずれか１つに記載の方法。
【０１３２】
４５．ＳＲＮＳ再配置が行われることを認識するステップをさらに含む実施形態４１〜４４のいずれか１つに記載の方法。
【０１３３】
４６．ＳＲＮＳ再配置が行われるときに、拡張ＰＣＨ能力に対するサポートを再評価するステップを含む実施形態４５に記載の方法。
【０１３４】
４７．ＣＥＬＬ＿ＰＣＨ状態およびＵＲＡ＿ＰＣＨ状態にあるＷＴＲＵをページングする方法。
【０１３５】
４８．ＷＴＲＵは、ＣＥＬＬ＿ＰＣＨ状態およびＵＲＡ＿ＰＣＨ状態のうちの１つにおいてページングメッセージを受信するためにＰＣＨ／Ｓ−ＣＣＰＣＨをモニタすべきかＨＳ−ＤＳＣＨをモニタすべきかを、ＷＴＲＵおよびセルの能力ならびに現在のＲＲＣ接続におけるネットワークとの前の通信中にＷＴＲＵが使用した受信方法に関係する条件に基づいて決定するステップを含む実施形態４７に記載の方法。
【０１３６】
４９．その決定に基づいて、ページングメッセージを受信するための構成をＷＴＲＵが行うことを含む実施形態４８に記載の方法。
【０１３７】
５０．ＷＴＲＵは、拡張ＰＣＨ能力をサポートするＲＮＣとのＲＲＣ接続を開始してからＲＲＣメッセージを送信している場合、ＣＥＬＬ＿ＰＣＨ状態およびＵＲＡ＿ＰＣＨ状態においてＨＳ−ＤＳＣＨのみをモニタする実施形態４８〜４９のいずれか１つに記載の方法。
【０１３８】
５１．ＷＴＲＵは、拡張ＰＣＨ能力をサポートしないＲＮＣにＲＲＣメッセージを成功裏に送信するときから、ＰＣＨ／Ｓ−ＣＣＰＣＨをモニタする実施形態４８〜５０のいずれか１つに記載の方法。
【０１３９】
５２．ＷＴＲＵは、ＳＲＮＣが拡張ＰＣＨをサポートしないことを示す情報を受信する場合に、ページングメッセージを求めてＰＣＨ／Ｓ−ＣＣＰＣＨをモニタする実施形態４８〜５１のいずれか１つに記載の方法。
【０１４０】
５３．ＣＥＬＬ＿ＰＣＨ状態およびＵＲＡ＿ＰＣＨ状態にあるＷＴＲＵをページングする方法。
【０１４１】
５４．ＣＥＬＬ＿ＰＣＨ状態およびＵＲＡ＿ＰＣＨ状態においてＨＳ−ＤＳＣＨを受信する、拡張ＰＣＨ能力を示す表示を含むＵＲＡ更新メッセージを受信するステップを含む実施形態５３に記載の方法。
【０１４２】
５５．ＷＴＲＵとＳＲＮＣとにおいて能力不一致を判定するステップを含む実施形態５４に記載の方法。
【０１４３】
５６．ＳＲＮＳ再配置を開始するために、再配置要求メッセージを送信するステップを含む実施形態５４〜５５のいずれか１つに記載の方法。
【０１４４】
５７．ＳＲＮＳ再配置を行うステップを含む実施形態５６に記載の方法。
【０１４５】
５８．ＵＲＡ更新確認メッセージをＨＳ−ＤＳＣＨ上でＷＴＲＵに送信するステップを含む実施形態５７に記載の方法。
【０１４６】
５９．能力不一致はＤＲＮＣによって検出され、ＳＲＮＳ再配置はＤＲＮＣによって開始される実施形態５５〜５８のいずれか１つに記載の方法。
【０１４７】
６０．能力不一致はＳＲＮＣによって検出され、ＳＲＮＳ再配置はＳＲＮＣによって開始される実施形態５５〜５８のいずれか１つに記載の方法。
【０１４８】
６１．ＣＥＬＬ＿ＰＣＨ状態およびＵＲＡ＿ＰＣＨ状態においてページングメッセージを受信するように構成されるＷＴＲＵ。
【０１４９】
６２．ＣＥＬＬ＿ＰＣＨ状態およびＵＲＡ＿ＰＣＨ状態においてＨＳ−ＤＳＣＨ（高速ダウンリンク共用チャネル）を受信する、拡張ＰＣＨ能力を示す表示を送信するコントローラを備える実施形態６１に記載のＷＴＲＵ。
【０１５０】
６３．ＨＳ−ＤＳＣＨ上でメッセージを受信するトランシーバを備える実施形態６２に記載のＷＴＲＵ。
【０１５１】
６４．そのコントローラは、ＣＥＬＬ＿ＦＡＣＨ状態においてＨＳ−ＤＳＣＨを受信する、拡張ＦＡＣＨ能力を示す第２の表示を送信するように構成される実施形態６２〜６３のいずれか１つに記載のＷＴＲＵ。
【０１５２】
６５．その表示は、セル更新メッセージ、ＵＲＡ更新メッセージ、およびＵＴＲＡＮモビリティ情報確認メッセージのうちの１つに含まれる実施形態６２〜６４のいずれか１つに記載のＷＴＲＵ。
【０１５３】
６６．その表示を含むセル更新メッセージおよびＵＲＡ更新メッセージは、新たなセルの能力が前のセルの能力と異なる場合に送信される実施形態６５に記載のＷＴＲＵ。
【０１５４】
６７．その表示を含むＵＲＡ更新メッセージは、拡張ＰＣＨをサポートする新たなセルがＳＲＮＣとは異なるＣＲＮＣによって制御されている場合に送信される実施形態６５〜６６のいずれか１つに記載のＷＴＲＵ。
【０１５５】
６８．そのコントローラは、Ｕ−ＲＮＴＩ内のＳＲＮＣ識別情報がセル識別情報のうちの１２の最上位ビットと異なる場合に、ＣＲＮＣがＳＲＮＣと異なると判定する実施形態６７に記載のＷＴＲＵ。
【０１５６】
６９．そのコントローラは、ＷＴＲＵが拡張ＦＡＣＨおよび／または拡張ＰＣＨをサポートしないセルから、拡張ＦＡＣＨおよび／または拡張ＰＣＨをサポートするセルへと移動している場合に、その表示を含むＵＲＡ更新メッセージを送信する実施形態６５〜６８のいずれか１つに記載のＷＴＲＵ。
【０１５７】
７０．そのコントローラは、新たなセルが前のセルを制御していたＣＲＮＣとは異なるＣＲＮＣによって制御されている場合に、その表示を含むＵＲＡ更新メッセージを送信する実施形態６５〜６９のいずれか１つに記載のＷＴＲＵ。
【０１５８】
７１．そのコントローラは、ＷＴＲＵが、自らが接続されているＳＲＮＣが拡張ＦＡＣＨおよび／または拡張ＰＣＨをサポートするかどうかを知らない場合に、その表示を含むＵＲＡ更新メッセージを送信する実施形態６５〜７０のいずれか１つに記載のＷＴＲＵ。
【０１５９】
７２．ＳＲＮＳ再配置が行われたという表示に応答して、ＵＴＲＡＮモビリティ情報確認メッセージが送信される実施形態６５〜７１のいずれか１つに記載のＷＴＲＵ。
【０１６０】
７３．そのコントローラは、ＳＲＮＣの拡張ＦＡＣＨ能力および／またはＰＣＨ能力を示す内部変数を保持することにより、ＷＴＲＵが接続されているＳＲＮＣが拡張ＰＣＨをサポートするかどうかを判定する実施形態６２〜７２のいずれか１つに記載のＷＴＲＵ。
【０１６１】
７４．この内部変数は、以下の条件、すなわち、ＷＴＲＵに新たなＵ−ＲＮＴＩが割り当てられる場合、ＷＴＲＵのＲＲＣ状態がＣＥＬＬ＿ＤＣＨからＵＲＡ＿ＰＣＨへと変わる場合、ＷＴＲＵのＲＲＣ状態がＣＥＬＬ＿ＦＡＣＨからＵＲＡ＿ＰＣＨへと変わる場合、ＷＴＲＵのＲＲＣ状態がＣＥＬＬ＿ＰＣＨからＵＲＡ＿ＰＣＨへと変わる場合、ＷＴＲＵのＲＲＣ状態がＵＲＡ＿ＰＣＨからＣＥＬＬ＿ＰＣＨ、ＣＥＬＬ＿ＦＡＣＨ、またはＣＥＬＬ＿ＤＣＨへと変わる場合、ＷＴＲＵが、拡張ＰＣＨおよび／または拡張ＦＡＣＨをサポートしないセル内でＲＲＣメッセージを受信し、新たなＵ−ＲＮＴＩが割り当てられる場合、およびＷＴＲＵがＣＥＬＬ＿ＤＣＨ状態にありながらＲＲＣメッセージを受信し、新たなＵ−ＲＮＴＩが割り当てられる場合、のうちのいずれか１つが満たされる場合にＦＡＬＳＥに設定される実施形態７３に記載のＷＴＲＵ。
【０１６２】
７５．この内部変数は、以下の条件、すなわち、ＷＴＲＵが、その表示を含むＵＲＡ更新メッセージの転送をトリガした後に、ＵＲＡ更新確認メッセージを成功裏に受信する場合、ＷＴＲＵが、拡張ＦＡＣＨおよび／または拡張ＰＣＨをサポートするセル内でＵＲＡ更新メッセージを転送した後に、ＵＲＡ更新確認メッセージを成功裏に受信する場合、ＷＴＲＵが、拡張ＦＡＣＨおよび／または拡張ＰＣＨをサポートするセル内でセル更新メッセージを転送した後に、セル更新確認メッセージを成功裏に受信する場合、ＷＴＲＵが、拡張ＦＡＣＨおよび／または拡張ＰＣＨをサポートするセルに移動し、そのセルは、そのＷＴＲＵが接続されているＳＲＮＣによって制御されている場合、およびＷＴＲＵが、拡張ＦＡＣＨおよび／または拡張ＰＣＨをサポートするセル内でＲＲＣ接続を開始する場合、のうちの少なくとも１つが満たされる場合にＴＲＵＥに設定される実施形態７３に記載のＷＴＲＵ。
【０１６３】
７６．ＣＥＬＬ＿ＰＣＨ状態およびＵＲＡ＿ＰＣＨ状態にあるＷＴＲＵをページングする装置。
【０１６４】
７７．ＣＥＬＬ＿ＰＣＨ状態およびＵＲＡ＿ＰＣＨ状態においてＨＳ−ＤＳＣＨを受信する、拡張ＰＣＨ能力をそのＷＴＲＵが有するかどうかを示す表示を受信し、その表示に基づいてＷＴＲＵをページングするコントローラを備える実施形態７６に記載の装置。
【０１６５】
７８．ページングメッセージを送信するトランシーバを備える実施形態７７に記載の装置。
【０１６６】
７９．その表示は、ＳＲＮＣからのページング要求メッセージに含まれる実施形態７７〜７８のいずれか１つに記載の装置。
【０１６７】
８０．その表示は、ＷＴＲＵが拡張ＰＣＨ能力を有する場合にのみ、ページング要求メッセージ内に存在する実施形態７７〜７９のいずれか１つに記載の装置。
【０１６８】
８１．その表示は、ページングエリア選択とは独立に提供される実施形態７７〜８０のいずれか１つに記載の装置。
【０１６９】
８２．その表示は、ページングエリア選択がＵＲＡである場合にのみ提供される実施形態７７〜８１のいずれか１つに記載の装置。
【０１７０】
８３．ＷＴＲＵをＨＳ−ＤＳＣＨ上でページングするためにＨＳ−ＤＳＣＨページング要求メッセージが使用され、ＷＴＲＵをＰＣＨ／Ｓ−ＣＣＰＣＨ上でページングするためにページング要求メッセージが使用される実施形態７７〜８２のいずれか１つに記載の装置。
【０１７１】
８４．その表示がページング要求メッセージ内にない場合、ページングメッセージはＰＣＨ／Ｓ−ＣＣＰＣＨ上で送信される実施形態７７〜８３のいずれか１つに記載の装置。
【０１７２】
８５．その表示がページング要求メッセージ内にない場合、ページングメッセージはＨＳ−ＤＳＣＨ上およびＰＣＨ／Ｓ−ＣＣＰＣＨ上の両方で送信される実施形態７７〜８４のいずれか１つに記載の装置。
【０１７３】
８６．ＣＥＬＬ＿ＰＣＨ状態およびＵＲＡ＿ＰＣＨ状態にあるＷＴＲＵをページングする装置。
【０１７４】
８７．ＷＴＲＵに関するページング要求メッセージを受信するトランシーバを備える実施形態８６に記載の装置。
【０１７５】
８８．ＣＥＬＬ＿ＰＣＨ状態およびＵＲＡ＿ＰＣＨ状態においてＨＳ−ＤＳＣＨを受信するＷＴＲＵの能力が知られていない場合、ＨＳ−ＤＳＣＨ上およびＰＣＨ／Ｓ−ＣＣＰＣＨ上の両方でそのＷＴＲＵをページングするコントローラを備える実施形態８７に記載の装置。
【０１７６】
８９．ＣＥＬＬ＿ＰＣＨ状態およびＵＲＡ＿ＰＣＨ状態においてページングメッセージを受信するＷＴＲＵ。
【０１７７】
９０．ＰＩＣＨ上のページング表示を受信および復号し、ページングメッセージを受信するトランシーバを備える実施形態８９に記載のＷＴＲＵ。
【０１７８】
９１．ＣＥＬＬ＿ＰＣＨ状態およびＵＲＡ＿ＰＣＨ状態のうちの１つにおいて、ＨＳ−ＤＳＣＨおよびＰＣＨ／Ｓ−ＣＣＰＣＨの両方をモニタするようにトランシーバを制御するコントローラを備える実施形態９０に記載のＷＴＲＵ。
【０１７９】
９２．そのコントローラは、サービングセルがＨＳ−ＤＳＣＨ上でのページングをサポートする場合に、ＨＳ−ＤＳＣＨおよびＰＣＨ／Ｓ−ＣＣＰＣＨの両方をモニタするようにトランシーバを制御する実施形態９１に記載のＷＴＲＵ。
【０１８０】
９３．そのコントローラは、ＷＴＲＵが、拡張ＣＥＬＬ＿ＦＡＣＨをサポートしないセルから、拡張ＣＥＬＬ＿ＦＡＣＨをサポートするセルへと移動している場合に、ＨＳ−ＤＳＣＨおよびＰＣＨ／Ｓ−ＣＣＰＣＨの両方をモニタするようにトランシーバを制御する実施形態９１〜９２のいずれか１つに記載のＷＴＲＵ。
【０１８１】
９４．そのコントローラは、ＷＴＲＵが、自らが接続されているＳＲＮＣの能力を知らない場合に、ＨＳ−ＤＳＣＨおよびＰＣＨ／Ｓ−ＣＣＰＣＨの両方をモニタするようにトランシーバを制御する実施形態９１〜９３のいずれか１つに記載のＷＴＲＵ。
【０１８２】
９５．ＣＥＬＬ＿ＰＣＨ状態およびＵＲＡ＿ＰＣＨ状態においてページングメッセージを受信するＷＴＲＵ。
【０１８３】
９６．トランシーバを備える実施形態９５に記載のＷＴＲＵ。
【０１８４】
９７．ＣＥＬＬ＿ＦＡＣＨ状態においてＨＳ−ＤＳＣＨの受信をサポートする、拡張ＦＡＣＨ能力をＳＲＮＣが有するかどうかを判定し、そのＳＲＮＣの能力に基づいて、ＨＳ−ＤＳＣＨ上でメッセージを受信するようにトランシーバを構成するコントローラを備える実施形態９６に記載のＷＴＲＵ。
【０１８５】
９８．アイドルモードにあるコントローラは、選択されたセルが拡張ＦＡＣＨ能力を有する場合に、ＷＴＲＵが接続しようと試みているＳＲＮＣが拡張ＦＡＣＨ能力を有すると判定する実施形態９７に記載のＷＴＲＵ。
【０１８６】
９９．ＲＲＣ接続モードにあるコントローラは、ＷＴＲＵがＳＲＮＣとのＲＲＣ接続の寿命の間中の任意の時点で、ＣＥＬＬ＿ＦＡＣＨ状態でのＨＳ−ＤＳＣＨの受信に関して自らを構成している場合、そのＳＲＮＣが拡張ＦＡＣＨ能力を有すると判定する実施形態９７〜９８のいずれか１つに記載のＷＴＲＵ。
【０１８７】
１００．ＲＲＣ接続モードにあるコントローラは、ＷＴＲＵがＳＲＮＣに接続されながら任意の３ＧＰＰリリース７機能を使用して動作するように構成されている場合、そのＳＲＮＣが拡張ＦＡＣＨ能力を有すると判定する実施形態９７〜９９のいずれか１つに記載のＷＴＲＵ。
【０１８８】
１０１．そのコントローラは、個別のＲＲＣシグナリングによってＳＲＮＣの能力を得る実施形態９７〜１００のいずれか１つに記載のＷＴＲＵ。
【０１８９】
１０２．そのコントローラは、拡張ＣＥＬＬ＿ＦＡＣＨをサポートするＲＮＣのリストを提供するブロードキャストシグナリングによってＳＲＮＣの能力を得る実施形態９７〜１０１のいずれか１つに記載のＷＴＲＵ。
【０１９０】
１０３．ＣＥＬＬ＿ＰＣＨ状態およびＵＲＡ＿ＰＣＨ状態においてＨＳ−ＤＳＣＨを受信する、拡張ＰＣＨ能力をＷＴＲＵがサポートすべきかどうかを示すメッセージを受信し、そのメッセージに基づいて、ページングメッセージを受信するトランシーバを構成するコントローラを備える実施形態９６に記載のＷＴＲＵ。
【０１９１】
１０４．そのコントローラは、ＳＲＮＳが拡張ＰＣＨをサポートしない場合に、Ｓ−ＣＣＰＣＨをモニタするようにトランシーバを制御する実施形態１０３に記載のＷＴＲＵ。
【０１９２】
１０５．そのコントローラは、ＳＲＮＳが拡張ＰＣＨをサポートするが、ＨＳ−ＤＳＣＨページングシステム情報がセル内でブロードキャストされていない場合に、Ｓ−ＣＣＰＣＨをモニタするようにトランシーバを制御する実施形態１０３〜１０４のいずれか１つに記載のＷＴＲＵ。
【０１９３】
１０６．この構成は、ＳＲＮＣへの接続の寿命の間中有効である実施形態１０３〜１０５のいずれか１つに記載のＷＴＲＵ。
【０１９４】
１０７．そのコントローラは、ＳＲＮＳ再配置が行われることを認識し、ＳＲＮＳ再配置が行われるときに、拡張ＰＣＨ能力に対するサポートを再評価する実施形態１０３〜１０６のいずれか１つに記載のＷＴＲＵ。
【０１９５】
１０８．ＣＥＬＬ＿ＰＣＨ状態およびＵＲＡ＿ＰＣＨ状態のうちの１つにおいてページングメッセージを受信するためにＰＣＨ／Ｓ−ＣＣＰＣＨをモニタすべきかＨＳ−ＤＳＣＨをモニタすべきかを、ＷＴＲＵおよびセルの能力ならびに現在のＲＲＣ接続におけるネットワークとの前の通信中にＷＴＲＵが使用した受信方法に関係する条件に基づいて決定し、ページングメッセージを受信するトランシーバを構成するコントローラを備える実施形態９６に記載のＷＴＲＵ。
【０１９６】
１０９．拡張ＰＣＨ能力をサポートするＲＮＣとのＲＲＣ接続を開始してからＷＴＲＵがＲＲＣメッセージを送信している場合、そのコントローラは、ＣＥＬＬ＿ＰＣＨ状態およびＵＲＡ＿ＰＣＨ状態においてＨＳ−ＤＳＣＨのみをモニタするようにトランシーバを構成した実施形態１０８に記載のＷＴＲＵ。
【０１９７】
１１０．拡張ＰＣＨ能力をサポートしないＲＮＣにＷＴＲＵがＲＲＣメッセージを成功裏に送信するときから、そのコントローラは、ＰＣＨ／Ｓ−ＣＣＰＣＨをモニタするようにトランシーバを構成する実施形態１０８〜１０９のいずれか１つに記載のＷＴＲＵ。
【０１９８】
１１１．そのコントローラは、ＳＲＮＣが拡張ＰＣＨをサポートしないことを示す情報を受信する場合に、ページングメッセージを求めてＰＣＨ／Ｓ−ＣＣＰＣＨをモニタするようにトランシーバを構成する実施形態１０８〜１１０のいずれか１つに記載のＷＴＲＵ。
【０１９９】
１１２．ＣＥＬＬ＿ＰＣＨ状態およびＵＲＡ＿ＰＣＨ状態にあるＷＴＲＵをページングするための装置。
【０２００】
１１３．トランシーバを備える実施形態１１２に記載の装置。
【０２０１】
１１４．ＣＥＬＬ＿ＰＣＨ状態およびＵＲＡ＿ＰＣＨ状態においてＨＳ−ＤＳＣＨを受信する、拡張ＰＣＨ能力を示す表示を含むＵＲＡ更新メッセージを受信し、ＷＴＲＵとＳＲＮＣとにおいて能力不一致を判定し、ＳＲＮＳ再配置を開始するために再配置要求メッセージを送信し、ＳＲＮＳ再配置を行い、ＵＲＡ更新確認メッセージをＨＳ−ＤＳＣＨ上でＷＴＲＵに送信するコントローラを備える実施形態１１３に記載の装置。
【０２０２】
本発明の諸特徴および要素を特定の組合せにより好ましい実施形態で説明したが、各特徴または要素を、好ましい実施形態の他の特徴および要素なしに単独で、または本発明の他の特徴および要素を伴うもしくは伴わない様々な組合せで使用することができる。本発明で提供する方法または流れ図は、汎用コンピュータまたはプロセッサによって実行するためにコンピュータ可読記憶媒体中に実態的に実施されるコンピュータプログラム、ソフトウェアまたはファームウェアで実施することができる。コンピュータ可読記憶媒体の例には、ＲＯＭ（読出し専用メモリ）、ＲＡＭ（ランダムアクセスメモリ）、レジスタ、キャッシュメモリ、半導体記憶装置、内蔵ハードディスクやリムーバブルディスクなどの磁気媒体、光磁気媒体、およびＣＤ−ＲＯＭディスクやＤＶＤ（デジタル多機能ディスク）などの光学媒体が含まれる。
【０２０３】
適切なプロセッサには、例えば汎用プロセッサ、専用プロセッサ、従来型プロセッサ、ＤＳＰ（デジタル信号プロセッサ）、複数のマイクロプロセッサ、ＤＳＰコアに関連する１個または複数個のマイクロプロセッサ、コントローラ、マイクロコントローラ、ＡＳＩＣ（Application Specific Integrated Circuits）、ＦＰＧＡ（Field Programmable Gate Array）回路、他のタイプの集積回路（ＩＣ）および／または状態機械が含まれる。
【０２０４】
ソフトウェアに関連するプロセッサを、ＷＴＲＵ（無線送受信ユニット）、ＵＥ（ユーザ装置）、ターミナル、基地局、ＲＮＣ（無線ネットワークコントローラ）または任意のホストコンピュータで使用する無線周波数トランシーバを実装するために使用することができる。ＷＴＲＵは、カメラ、ビデオカメラモジュール、テレビ電話、スピーカホン、振動装置、スピーカ、マイクロホン、テレビトランシーバ、ハンズフリーヘッドセット、キーボード、Ｂｌｕｅｔｏｏｔｈ（登録商標）モジュール、ＦＭ（周波数変調）無線ユニット、ＬＣＤ（液晶ディスプレイ）ディスプレイユニット、ＯＬＥＤ（有機発光ダイオード）ディスプレイユニット、デジタル音楽プレイヤ、メディアプレイヤ、ビデオゲーム機モジュール、インターネットブラウザ、および／または任意のＷＬＡＮ（無線ＬＡＮ）モジュールなど、ハードウェアおよび／またはソフトウェアによって実装されるモジュールと組み合わせて使用することができる。
【図１】
0005989594.tif 000002
【図２】
0005989594.tif 000003
【図３】
0005989594.tif 000004